(57)【特許請求の範囲】
【請求項１】
サーバ装置と複数のクライアント装置とを通信可能に接続して構成されたオークションシステムであって、
前記サーバ装置は、
出品者の前記クライアント装置から、オークションに出品する商品を特定するための情報が送信されると共に、当該商品をオークションするための複数の条件であって少なくとも当該商品の売買数量を含んで構成される条件群が複数送信された場合に、当該商品を一意に識別するための商品ＩＤを付与すると共に、当該複数の条件群の各々を一意に識別するための複数の条件群ＩＤとを付与し、当該商品ＩＤ、当該商品を特定するための情報、当該複数の条件群ＩＤ、及び、当該複数の条件群を相互に関連付けて商品情報として商品情報データベースに登録する商品情報登録処理手段と、
出品者の前記クライアント装置から、出品された商品に対する複数の条件群を通じて売買単価が最高あるいは最低となる入札価格の入札者を落札者とするか、又は、出品された商品に対する複数の条件群を通じて前記出品者の利益額が最高となる入札価格の入札者を落札者とするか、の優先条件を受け付ける優先条件受付手段と、
前記商品情報データベースに登録された前記商品情報を、入札者の前記クライアント装置に送信する商品情報閲覧処理手段と、
入札者の前記クライアント装置から送信された、入札対象になる商品の商品ＩＤ及び当該商品の条件群ＩＤに対する入札価格を、当該商品ＩＤ及び当該条件群ＩＤに関連付けてオークション情報データベースに登録する入札処理手段と、
前記優先条件受付手段によって受け付けた優先条件が、出品された商品に対する複数の条件群を通じて売買単価が最高あるいは最低となる入札価格の入札者を落札者とする優先条件である場合には、前記オークション情報データベースから、開札対象になる商品の商品ＩＤに関連付けて登録された複数の条件群ＩＤの各々に対する入札価格を取得すると共に、前記商品情報データベースから、開札対象になる商品の商品ＩＤに関連付けて登録された複数の条件群の各々に含まれる売買数量を取得し、これら取得した入札価格と売買数量とに基づいて各入札価格に対する売買単価を算定し、当該売買単価が最高あるいは最低となる入札価格の入札者を落札者として決定し、前記優先条件受付手段によって受け付けた優先条件が、出品された商品に対する複数の条件群を通じて前記出品者の利益額が最高となる入札価格の入札者を落札者とする優先条件である場合には、前記オークション情報データベースから、開札対象になる商品の商品ＩＤに関連付けて登録された複数の条件群ＩＤの各々に対する入札価格を取得し、当該入札価格が最高となる入札価格の入札者を落札者として決定し、当該落札者が決定された旨を、当該決定された落札者に対して通知する開札処理手段と、
を備えることを特徴とするオークションシステム。
【請求項２】
前記サーバ装置は、
各商品を特定するための情報と、各商品に対する上位商品を特定するための情報と、各商品に対する下位商品を特定するための情報と、を相互に関連付けて互換情報として登録する互換情報データベースと、
前記クライアント装置から検索対象となる商品を特定するための情報が送信された際、当該商品を特定するための情報に基づいて前記互換情報データベースを参照することにより、当該商品に対する上位商品を特定するための情報または当該商品に対する下位商品を特定するための情報を検索する商品検索処理手段とを備え、
前記商品情報閲覧処理手段は、商品検索処理手段によって検索された前記上位商品を特定するための情報又は前記下位商品を特定するための情報に対応する商品情報を前記商品情報データベースから取得し、この商品情報を当該クライアント装置に送信すること、
を特徴とする請求項１に記載のオークションシステム。
【請求項３】
前記サーバ装置は、
各商品を特定するための情報と、各商品の機能項目毎の機能内容と、を相互に関連付けて機能情報として登録する機能情報登録データベースと、
前記クライアント装置から検索対象となる商品を特定するための情報が送信された際、当該商品を特定するための情報に基づいて前記機能情報登録データベースを参照することにより、当該商品の機能項目毎の機能内容を取得し、当該機能内容と同一の機能内容を有する商品を特定するための情報を検索する商品検索処理手段とを備え、
前記商品情報閲覧処理手段は、商品検索処理手段によって検索された前記商品を特定するための情報に対応する商品情報を前記商品情報データベースから取得し、この商品情報を当該クライアント装置に送信すること、
を特徴とする請求項１に記載のオークションシステム。
【請求項４】
前記サーバ装置は、
オークション対象から除外された各商品の商品ＩＤと、当該各商品を特定するための情報と、当該商品の条件群ＩＤと、当該商品の条件群と、を相互に関連付けて商品履歴情報として登録する商品履歴情報データベースと、
前記クライアント装置から検索対象となる商品を特定するための情報が送信された際、当該商品を特定するための情報に基づいて前記商品履歴情報データベースを参照することにより、当該商品を特定するための情報に関連付けられた商品の商品ＩＤを検索する商品検索処理手段とを備え、
前記商品情報閲覧処理手段は、商品検索処理手段によって検索された前記商品ＩＤに対応する商品情報を前記商品情報データベースから取得し、この商品情報を当該クライアント装置に送信すること、
を特徴とする請求項１に記載のオークションシステム。
【請求項５】
前記サーバ装置は、
過去に行なわれたオークションの各商品を特定するための情報と、当該各商品の過去のオークションにおける売買成立の有無、当該各商品の過去のオークションにおける入札総数、又は、当該各商品の過去のオークションにおける前記クライアント装置からの商品情報の閲覧総数と、を相互に関連付けてオークション履歴情報として登録するオークション履歴情報データベースと、
前記クライアント装置から前記商品を特定するための情報と前記条件群とが送信された際、当該商品を特定するための情報に基づいて前記オークション履歴情報データベースを参照することにより、当該商品を特定するための情報に関連付けられた前記売買成立の有無、前記入札総数、又は、前記閲覧総数を取得し、前記売買成立の有無によって過去の売買成立が登録されているか否かを判断することにより、あるいは、前記入札総数又は前記閲覧総数が所定数以上であるか否かを判断することにより、前記クライアント装置から送信された前記商品を特定するための情報と前記条件群との妥当性を判断する判断手段とを備え、
前記商品情報登録処理手段は、前記判断手段によって前記商品を特定するための情報と前記条件群との妥当性があると判断された場合にのみ、当該商品を特定するための情報と当該条件群とを前記商品情報データベースに登録すること、
を特徴とする請求項１から４のいずれか一項に記載のオークションシステム。
【請求項６】
出品者の前記クライアント装置から送信される前記条件群の各々には、オークションに出品する商品の最低落札価格が含まれ、
前記サーバ装置は、
過去に行なわれたオークションの各商品を特定するための情報と、当該各商品の過去のオークションにおける落札価格と、を相互に関連付けてオークション履歴情報として登録するオークション履歴情報データベースと、
前記クライアント装置から前記商品を特定するための情報と前記条件群とが送信された際、当該商品を特定するための情報に基づいて前記オークション履歴情報データベースを参照することにより、当該商品を特定するための情報に関連付けられた各商品の落札価格を取得し、当該取得した落札価格に対して前記クライアント装置から送信された前記条件群に含まれる最低落札価格が所定価格以上高く設定されているか否かを判断することにより、当該最低落札価格の妥当性を判断する判断手段とを備え、
前記商品情報登録処理手段は、前記判断手段によって前記最低落札価格の妥当性があると判断された場合にのみ、前記クライアント装置から送信された前記商品を特定するための情報と前記条件群とを前記商品情報データベースに登録すること、
を特徴とする請求項１から５のいずれか一項に記載のオークションシステム。
【請求項７】
前記サーバ装置は、
過去に行なわれたオークションの各商品を特定するための情報と、当該各商品の過去のオークションにおいてオークション期間の開始から落札価格が提示されるまでに要した期間と、を相互に関連付けてオークション履歴情報として登録するオークション履歴情報データベースと、
前記クライアント装置から登録対象となる商品を特定するための情報が送信された際、当該商品を特定するための情報に基づいて前記オークション履歴情報データベースを参照することにより、当該商品を特定するための情報に関連付けられたオークション期間の開始から落札価格が提示されるまでに要した期間を取得し、当該期間に基づいて、前記商品のオークション期間を算定するオークション期間算出手段と、
を備えることを特徴とする請求項１から４のいずれか一項に記載のオークションシステム。
【請求項８】
前記サーバ装置は、
過去に行なわれたオークションの各商品を特定するための情報と、当該各商品を出品または入札した利用者の利用者ＩＤと、を相互に関連付けてオークション履歴情報として登録するオークション履歴情報データベースと、
商品が落札された場合に、当該落札された商品を出品または入札した利用者の利用者ＩＤに基づいて前記オークション履歴情報データベースを参照することにより、当該利用者ＩＤに関連付けて登録されているオークションの回数を算出し、この回数に応じて当該利用者に対する所定の料金割り引き演算を行う演算手段と、
を備えることを特徴とする請求項１から４のいずれか一項に記載のオークションシステム。
【請求項９】
前記サーバ装置は、
前記開札処理手段によって落札者が決定された場合に、当該落札者として決定されなかった入札者の前記クライアント装置から送信された商品を特定するための情報に基づいて、前記商品検索処理手段に検索を行わせると共に、この商品検索処理手段によって検索された前記商品を特定するための情報に対応する商品情報を前記商品情報データベースから取得し、この商品情報を、当該入札者が代わりの商品を探す際の参考となり得る代替情報として、当該入札者の前記クライアント装置に送信する代替情報送信手段を備えること、
を特徴とする請求項２から４のいずれか一項に記載のオークションシステム。
【請求項１０】
サーバ装置と複数のクライアント装置とを通信可能に接続して構成されたシステムを用いてオークションを行うオークション方法であって、
前記サーバ装置が、
出品者の前記クライアント装置から、オークションに出品する商品を特定するための情報が送信されると共に、当該商品をオークションするための複数の条件であって少なくとも当該商品の売買数量を含んで構成される条件群が複数送信された場合に、当該商品を一意に識別するための商品ＩＤを付与すると共に、当該複数の条件群の各々を一意に識別するための複数の条件群ＩＤとを付与し、当該商品ＩＤ、当該商品を特定するための情報、当該複数の条件群ＩＤ、及び、当該複数の条件群を相互に関連付けて商品情報として商品情報データベースに登録する商品情報登録処理手順と、
出品者の前記クライアント装置から、出品された商品に対する複数の条件群を通じて売買単価が最高あるいは最低となる入札価格の入札者を落札者とするか、又は、出品された商品に対する複数の条件群を通じて前記出品者の利益額が最高となる入札価格の入札者を落札者とするか、の優先条件を受け付ける優先条件受付手順と、
前記商品情報データベースに登録された前記商品情報を、入札者の前記クライアント装置に送信する商品情報閲覧処理手順と、
入札者の前記クライアント装置から送信された、入札対象になる商品の商品ＩＤ及び当該商品の条件群ＩＤに対する入札価格を、当該商品ＩＤ及び当該条件群ＩＤに関連付けてオークション情報データベースに登録する入札処理手順と、
前記優先条件受付手順において受け付けた優先条件が、出品された商品に対する複数の条件群を通じて売買単価が最高あるいは最低となる入札価格の入札者を落札者とする優先条件である場合には、前記オークション情報データベースから、開札対象になる商品の商品ＩＤに関連付けて登録された複数の条件群ＩＤの各々に対する入札価格を取得すると共に、前記商品情報データベースから、開札対象になる商品の商品ＩＤに関連付けて登録された複数の条件群の各々に含まれる売買数量を取得し、これら取得した入札価格と売買数量とに基づいて各入札価格に対する売買単価を算定し、当該売買単価が最高あるいは最低となる入札価格の入札者を落札者として決定し、前記優先条件受付手順において受け付けた優先条件が、出品された商品に対する複数の条件群を通じて前記出品者の利益額が最高となる入札価格の入札者を落札者とする優先条件である場合には、前記オークション情報データベースから、開札対象になる商品の商品ＩＤに関連付けて登録された複数の条件群ＩＤの各々に対する入札価格を取得し、当該入札価格が最高となる入札価格の入札者を落札者として決定し、当該落札者が決定された旨を、当該決定された落札者に対して通知する開札処理手順と、
を実行することを特徴とするオークション方法。
【請求項１１】
前記サーバ装置が、
各商品を特定するための情報と、各商品に対する上位商品を特定するための情報と、各商品に対する下位商品を特定するための情報と、を相互に関連付けて互換情報として登録する互換情報データベースをさらに備え、
前記クライアント装置から検索対象となる商品を特定するための情報が送信された際、当該商品を特定するための情報に基づいて前記互換情報データベースを参照することにより、当該商品に対する上位商品を特定するための情報または当該商品に対する下位商品を特定するための情報を検索する商品検索処理手順を実行し、
前記商品情報閲覧処理手順において、前記商品検索処理手順において検索された前記上位商品を特定するための情報又は前記下位商品を特定するための情報に対応する商品情報を前記商品情報データベースから取得し、この商品情報を当該クライアント装置に送信すること、
を特徴とする請求項１０に記載のオークション方法。
【請求項１２】
前記サーバ装置が、
各商品を特定するための情報と、各商品の機能項目毎の機能内容と、を相互に関連付けて機能情報として登録する機能情報登録データベースをさらに備え、
前記クライアント装置から検索対象となる商品を特定するための情報が送信された際、当該商品を特定するための情報に基づいて前記機能情報登録データベースを参照することにより、当該商品の機能項目毎の機能内容を取得し、当該機能内容と同一の機能内容を有する商品を特定するための情報を検索する商品検索処理手順を実行し、
前記商品情報閲覧処理手順において、前記商品検索処理手順において検索された前記商品を特定するための情報に対応する商品情報を前記商品情報データベースから取得し、この商品情報を当該クライアント装置に送信すること、
を特徴とする請求項１０に記載のオークション方法。
【請求項１３】
前記サーバ装置が、
オークション対象から除外された各商品の商品ＩＤと、当該各商品を特定するための情報と、当該商品の条件群ＩＤと、当該商品の条件群と、を相互に関連付けて商品履歴情報として登録する商品履歴情報データベースをさらに備え、
前記クライアント装置から検索対象となる商品を特定するための情報が送信された際、当該商品を特定するための情報に基づいて前記商品履歴情報データベースを参照することにより、当該商品を特定するための情報に関連付けられた商品の商品ＩＤを検索する商品検索処理手順を実行し、
前記商品情報閲覧処理手順において、前記商品検索処理手順において検索された前記商品ＩＤに対応する商品情報を前記商品情報データベースから取得し、この商品情報を当該クライアント装置に送信すること、
を特徴とする請求項１０に記載のオークション方法。
【請求項１４】
前記サーバ装置が、
過去に行なわれたオークションの各商品を特定するための情報と、当該各商品の過去のオークションにおける売買成立の有無、当該各商品の過去のオークションにおける入札総数、又は、当該各商品の過去のオークションにおける前記クライアント装置からの商品情報の閲覧総数と、を相互に関連付けてオークション履歴情報として登録するオークション履歴情報データベースをさらに備え、
前記クライアント装置から前記商品を特定するための情報と前記条件群とが送信された際、当該商品を特定するための情報に基づいて前記オークション履歴情報データベースを参照することにより、当該商品を特定するための情報に関連付けられた前記売買成立の有無、前記入札総数、又は、前記閲覧総数を取得し、前記売買成立の有無によって過去の売買成立が登録されているか否かを判断することにより、あるいは、前記入札総数又は前記閲覧総数が所定数以上であるか否かを判断することにより、前記クライアント装置から送信された前記商品を特定するための情報と前記条件群との妥当性を判断する判断手順を実行し、
前記商品情報登録処理手順において、前記判断手順において前記商品を特定するための情報と前記条件群との前記妥当性があると判断された場合にのみ、当該商品を特定するための情報と当該条件群とを前記商品情報データベースに登録すること、
を特徴とする請求項１０から１３のいずれか一項に記載のオークション方法。
【請求項１５】
前記商品情報登録処理手順において出品者の前記クライアント装置から送信される条件群の各々には、オークションに出品する商品の最低落札価格が含まれ、
前記サーバ装置が、
過去に行なわれたオークションの各商品を特定するための情報と、当該各商品の過去のオークションにおける落札価格と、を相互に関連付けてオークション履歴情報として登録するオークション履歴情報データベースをさらに備え、
前記クライアント装置から前記商品を特定するための情報と前記条件群とが送信された際、当該商品を特定するための情報に基づいて前記オークション履歴情報データベースを参照することにより、当該商品を特定するための情報に関連付けられた各商品の落札価格を取得し、当該取得した落札価格に対して前記クライアント装置から送信された前記条件群に含まれる最低落札価格が所定価格以上高く設定されているか否かを判断することにより、当該最低落札価格の妥当性を判断する判断手順を実行し、
前記商品情報登録処理手順において、前記判断手順において前記最低落札価格の妥当性があると判断された場合にのみ、前記クライアント装置から送信された前記商品を特定するための情報と前記条件群とを前記商品情報データベースに登録すること、
を特徴とする請求項１０から１４のいずれか一項に記載のオークション方法。
【請求項１６】
前記サーバ装置が、
過去に行なわれたオークションの各商品を特定するための情報と、当該各商品の過去のオークションにおいてオークション期間の開始から落札価格が提示されるまでに要した期間と、を相互に関連付けてオークション履歴情報として登録するオークション履歴情報データベースをさらに備え、
前記クライアント装置から登録対象となる商品を特定するための情報が送信された際、当該商品を特定するための情報に基づいて前記オークション履歴情報データベースを参照することにより、当該商品を特定するための情報に関連付けられたオークション期間の開始から落札価格が提示されるまでに要した期間を取得し、当該期間に基づいて、前記商品のオークション期間を算定するオークション期間算出手順を実行すること、
を特徴とする請求項１０から１３のいずれか一項に記載のオークション方法。
【請求項１７】
前記サーバ装置が、
過去に行なわれたオークションの各商品を特定するための情報と、当該各商品を出品または入札した利用者の利用者ＩＤと、を相互に関連付けてオークション履歴情報として登録するオークション履歴情報データベースをさらに備え、
商品が落札された場合に、当該落札された商品を出品または入札した利用者の利用者ＩＤに基づいて前記オークション履歴情報データベースを参照することにより、当該利用者ＩＤに関連付けて登録されているオークションの回数を算出し、この回数に応じて当該利用者に対する所定の料金割り引き演算を行う演算手順を実行すること、
を特徴とする請求項１０から１３のいずれか一項に記載のオークション方法。
【請求項１８】
前記サーバ装置が、
前記開札処理手順において落札者が決定された場合に、当該落札者として決定されなかった入札者の前記クライアント装置から先に送信された商品を特定するための情報に基づいて、前記商品検索処理手順における検索を行わせると共に、この商品検索処理手順において検索された前記商品を特定するための情報に対応する商品情報を前記商品情報データベースから取得し、この商品情報を、当該入札者が代わりの商品を探す際の参考となり得る代替情報として、当該入札者の前記クライアント装置に送信する代替情報送信手順を実行すること、
を特徴とする請求項１１から１３のいずれか一項に記載のオークション方法。
【請求項１９】
サーバ装置と複数のクライアント装置とを通信可能に接続して構成されたシステムを用いてオークションを行うオークション方法をコンピュータとしての前記サーバ装置に実行させるためのプログラムを記録したコンピュータ読み取り可能な記録媒体であって、
前記サーバ装置が、
出品者の前記クライアント装置から、オークションに出品する商品を特定するための情報が送信されると共に、当該商品をオークションするための複数の条件であって少なくとも当該商品の売買数量を含んで構成される条件群が複数送信された場合に、当該商品を一意に識別するための商品ＩＤを付与すると共に、当該複数の条件群の各々を一意に識別するための複数の条件群ＩＤとを付与し、当該商品ＩＤ、当該商品を特定するための情報、当該複数の条件群ＩＤ、及び、当該複数の条件群を相互に関連付けて商品情報として商品情報データベースに登録する商品情報登録処理手順と、
出品者の前記クライアント装置から、出品された商品に対する複数の条件群を通じて売買単価が最高あるいは最低となる入札価格の入札者を落札者とするか、又は、出品された商品に対する複数の条件群を通じて前記出品者の利益額が最高となる入札価格の入札者を落札者とするか、の優先条件を受け付ける優先条件受付手順と、
前記商品情報データベースに登録された前記商品情報を、入札者の前記クライアント装置に送信する商品情報閲覧処理手順と、
入札者の前記クライアント装置から送信された、入札対象になる商品の商品ＩＤ及び当該商品の条件群ＩＤに対する入札価格を、当該商品ＩＤ及び当該条件群ＩＤに関連付けてオークション情報データベースに登録する入札処理手順と、
前記優先条件受付手順において受け付けた優先条件が、出品された商品に対する複数の条件群を通じて売買単価が最高あるいは最低となる入札価格の入札者を落札者とする優先条件である場合には、前記オークション情報データベースから、開札対象になる商品の商品ＩＤに関連付けて登録された複数の条件群ＩＤの各々に対する入札価格を取得すると共に、前記商品情報データベースから、開札対象になる商品の商品ＩＤに関連付けて登録された複数の条件群の各々に含まれる売買数量を取得し、これら取得した入札価格と売買数量とに基づいて各入札価格に対する売買単価を算定し、当該売買単価が最高あるいは最低となる入札価格の入札者を落札者として決定し、前記優先条件受付手順において受け付けた優先条件が、出品された商品に対する複数の条件群を通じて前記出品者の利益額が最高となる入札価格の入札者を落札者とする優先条件である場合には、前記オークション情報データベースから、開札対象になる商品の商品ＩＤに関連付けて登録された複数の条件群ＩＤの各々に対する入札価格を取得し、当該入札価格が最高となる入札価格の入札者を落札者として決定し、当該落札者が決定された旨を、当該決定された落札者に対して通知する開札処理手順と、
を実行するプログラムを記録したことを特徴とするコンピュータ読み取り可能な記録媒体。
【請求項２０】
前記サーバ装置が、
各商品を特定するための情報と、各商品に対する上位商品を特定するための情報と、各商品に対する下位商品を特定するための情報と、を相互に関連付けて互換情報として登録する互換情報データベースをさらに備え、
前記クライアント装置から検索対象となる商品を特定するための情報が送信された際、当該商品を特定するための情報に基づいて前記互換情報データベースを参照することにより、当該商品に対する上位商品を特定するための情報または当該商品に対する下位商品を特定するための情報を検索する商品検索処理手順を実行し、
前記商品情報閲覧処理手順において、前記商品検索処理手順において検索された前記上位商品を特定するための情報又は前記下位商品を特定するための情報に対応する商品情報を前記商品情報データベースから取得し、この商品情報を当該クライアント装置に送信するプログラムを記録したこと、
を特徴とする請求項１９に記載のコンピュータ読み取り可能な記録媒体。
【請求項２１】
前記サーバ装置が、
各商品を特定するための情報と、各商品の機能項目毎の機能内容と、を相互に関連付けて機能情報として登録する機能情報登録データベースをさらに備え、
前記クライアント装置から検索対象となる商品を特定するための情報が送信された際、当該商品を特定するための情報に基づいて前記機能情報登録データベースを参照することにより、当該商品の機能項目毎の機能内容を取得し、当該機能内容と同一の機能内容を有する商品を特定するための情報を検索する商品検索処理手順を実行し、
前記商品情報閲覧処理手順において、前記商品検索処理手順において検索された前記商品を特定するための情報に対応する商品情報を前記商品情報データベースから取得し、この商品情報を当該クライアント装置に送信するプログラムを記録したこと、
を特徴とする請求項１９に記載のコンピュータ読み取り可能な記録媒体。
【請求項２２】
前記サーバ装置が、
オークション対象から除外された各商品の商品ＩＤと、当該各商品を特定するための情報と、当該商品の条件群ＩＤと、当該商品の条件群と、を相互に関連付けて商品履歴情報として登録する商品履歴情報データベースをさらに備え、
前記クライアント装置から検索対象となる商品を特定するための情報が送信された際、当該商品を特定するための情報に基づいて前記商品履歴情報データベースを参照することにより、当該商品を特定するための情報に関連付けられた商品の商品ＩＤを検索する商品検索処理手順を実行し、
前記商品情報閲覧処理手順において、前記商品検索処理手順において検索された前記商品ＩＤに対応する商品情報を前記商品情報データベースから取得し、この商品情報を当該クライアント装置に送信するプログラムを記録したこと、
を特徴とする請求項１９に記載のコンピュータ読み取り可能な記録媒体。
【請求項２３】
前記サーバ装置が、
過去に行なわれたオークションの各商品を特定するための情報と、当該各商品の過去のオークションにおける売買成立の有無、当該各商品の過去のオークションにおける入札総数、又は、当該各商品の過去のオークションにおける前記クライアント装置からの商品情報の閲覧総数と、を相互に関連付けてオークション履歴情報として登録するオークション履歴情報データベースをさらに備え、
前記クライアント装置から前記商品を特定するための情報と前記条件群とが送信された際、当該商品を特定するための情報に基づいて前記オークション履歴情報データベースを参照することにより、当該商品を特定するための情報に関連付けられた前記売買成立の有無、前記入札総数、又は、前記閲覧総数を取得し、前記売買成立の有無によって過去の売買成立が登録されているか否かを判断することにより、あるいは、前記入札総数又は前記閲覧総数が所定数以上であるか否かを判断することにより、前記クライアント装置から送信された前記商品を特定するための情報と前記条件群との妥当性を判断する判断手順を実行し、
前記商品情報登録処理手順において、前記判断手順において前記商品を特定するための情報と前記条件群との前記妥当性があると判断された場合にのみ、当該商品を特定するための情報と当該条件群とを前記商品情報データベースに登録するプログラムを記録したこと、
を特徴とする請求項１９から２２のいずれか一項に記載のコンピュータ読み取り可能な記録媒体。
【請求項２４】
前記商品情報登録処理手順において出品者の前記クライアント装置から送信される条件群の各々には、オークションに出品する商品の最低落札価格が含まれ、
前記サーバ装置が、
過去に行なわれたオークションの各商品を特定するための情報と、当該各商品の過去のオークションにおける落札価格と、を相互に関連付けてオークション履歴情報として登録するオークション履歴情報データベースをさらに備え、
前記クライアント装置から前記商品を特定するための情報と前記条件群とが送信された際、当該商品を特定するための情報に基づいて前記オークション履歴情報データベースを参照することにより、当該商品を特定するための情報に関連付けられた各商品の落札価格を取得し、当該取得した落札価格に対して前記クライアント装置から送信された前記条件群に含まれる最低落札価格が所定価格以上高く設定されているか否かを判断することにより、当該最低落札価格の妥当性を判断する判断手順を実行し、
前記商品情報登録処理手順において、前記判断手順において前記最低落札価格の妥当性があると判断された場合にのみ、前記クライアント装置から送信された前記商品を特定するための情報と前記条件群とを前記商品情報データベースに登録するプログラムを記録したこと、
を特徴とする請求項１９から２３のいずれか一項に記載のコンピュータ読み取り可能な記録媒体。
【請求項２５】
前記サーバ装置が、
過去に行なわれたオークションの各商品を特定するための情報と、当該各商品の過去のオークションにおいてオークション期間の開始から落札価格が提示されるまでに要した期間と、を相互に関連付けてオークション履歴情報として登録するオークション履歴情報データベースをさらに備え、
前記クライアント装置から登録対象となる商品を特定するための情報が送信された際、当該商品を特定するための情報に基づいて前記オークション履歴情報データベースを参照することにより、当該商品を特定するための情報に関連付けられたオークション期間の開始から落札価格が提示されるまでに要した期間を取得し、当該期間に基づいて、前記商品のオークション期間を算定するオークション期間算出手順を実行するプログラムを記録したこと、
を特徴とする請求項１９から２２のいずれか一項に記載のコンピュータ読み取り可能な記録媒体。
【請求項２６】
前記サーバ装置が、
過去に行なわれたオークションの各商品を特定するための情報と、当該各商品を出品または入札した利用者の利用者ＩＤと、を相互に関連付けてオークション履歴情報として登録するオークション履歴情報データベースをさらに備え、
商品が落札された場合に、当該落札された商品を出品または入札した利用者の利用者ＩＤに基づいて前記オークション履歴情報データベースを参照することにより、当該利用者ＩＤに関連付けて登録されているオークションの回数を算出し、この回数に応じて当該利用者に対する所定の料金割り引き演算を行う演算手順を実行するプログラムを記録したこと、
を特徴とする請求項１９から２２のいずれか一項に記載のコンピュータ読み取り可能な記録媒体。
【請求項２７】
前記サーバ装置が、
前記開札処理手順において落札者が決定された場合に、当該落札者として決定されなかった入札者の前記クライアント装置から先に送信された商品を特定するための情報に基づいて、前記商品検索処理手順における検索を行わせると共に、この商品検索処理手順において検索された前記商品を特定するための情報に対応する商品情報を前記商品情報データベースから取得し、この商品情報を、当該入札者が代わりの商品を探す際の参考となり得る代替情報として、当該入札者の前記クライアント装置に送信する代替情報送信手順を実行するプログラムを記録したこと、
を特徴とする請求項２０から２２のいずれか一項に記載のコンピュータ読み取り可能な記録媒体。
【発明の詳細な説明】
【０００１】
【発明の属する技術分野】
本発明は、インターネット等のネットワークを介して任意の商品をオークション売買するためのオークションシステムに関する。
また、本発明は、オークション方法、および、そのためのプログラムを記録した記録媒体に関する。
【０００２】
【従来の技術】
各種の企業等では生産計画に従って各種の商品が生産されているが、需要と供給が変動等する結果として、商品が残って在庫が生じることがある。このような商品のうち、特に、電子部品のように技術進歩が早いために陳腐化し易い商品については、在庫期間が長期になると転売等を行なうことが難しくなり、不良在庫となって企業に損害を与える可能性が高い。
【０００３】
このため、従来、各企業等は、できる限り早く在庫商品を販売するため、商社等の仲介業者に販売を委託していた。しかしながら、商社等を経由する場合には、当然に人件費等がかかるために高額な仲介料を支払う必要があり、生産企業側の利益が大きく目減りしたり、あるいは、在庫商品を安く販売することができずに結局は不良在庫となってしまうことがあった。
【０００４】
ここで、近年のインターネットの普及に伴い、ネットワーク上で様々な商品が売買されている。このようなネットワーク販売は、多大な人件費をかけることなく、商品を広域的かつ迅速に販売することができるという利点がある。特に、ネットワーク上でオークションを行なうオークションシステムは、商品の販売者と購入者の相互の需給バランスを自然に調整でき、売買成約率を高めることができる等の利点があるため、有望な売買システムとして注目されている。
【０００５】
このような従来のオークションシステムは、サーバ装置とクライアント装置とをネットワークを介して接続して構成されている。そして、商品の販売者が、クライアント装置からサーバ装置に対して、出品したい商品とその最低落札価格とに関する情報を送信すると、これらの情報がサーバ装置に登録される。この情報は、商品の購入を検討する購入者がクライアント装置を介して閲覧することができる。特に、出品された商品の情報が多い場合、購入者は、商品の型番等を用いて商品検索を行なうことができ、自己の希望する商品が出品されているか否かを確認することができる。
【０００６】
このように商品情報を閲覧した結果、購入者が購入を希望する場合には、自己の入札価格をサーバ装置に送信すると、この入札価格がサーバ装置に登録される。そして、所定のオークション期間終了後に、これまでで最も高い入札価格を提示した購入者が落札者として決定され、商品を購入する権利を得る（このような形態のオークションを、販売用オークションと称する）。
【０００７】
また、近年では、販売用オークションと異なり、購入者が、購入を希望する商品と、購入希望価格（最高落札価格）に関する情報を登録しておき、これを見た販売者が入札を行なうことのできるオークションシステムも提案されている（このようなオークションを、購入用オークションと称する）。
【０００８】
【発明が解決しようとする課題】
しかしながら、このような従来のオークションシステムは、人的に行なわれていた伝統的なオークションを単に模倣しているに過ぎなかった。このため、従来のオークションシステムは、伝統的なオークションの欠点をそのまま踏襲していたり、あるいは、ネットワークやコンピュータシステムの特性を充分に利用しているとは言い難い等、多くの問題点を有していた。
【０００９】
例えば、販売者や購入者が提示できるオークションの条件に関して、選択性が狭いという問題があった。具体的には、通常のオークションの場合、販売者は、自己の売買したい数量、あるいは、最低落札価格や最高落札価格として、それぞれ１つの値しか登録できないことが多かった。したがって、大量に一括購入してくれる場合には他の場合よりも安い価格を設定する等、状況に応じてもっとよい条件を提示できる場合であってもこの提示を行なうことができず、活用することのできる販売戦略に制限が多かった。
【００１０】
また、購入用オークションの場合も同様に、購入者は、売買数量や最高落札価格として、それぞれ１つの値しか登録できないことが多く、安い価格で購入できる場合には大量に購入してもよい等の事情があっても、その事情を販売者に伝えることができなかった。
このように、従来は、単一的な条件のみを登録していたので、この条件にわずかに不都合があった場合には売買が成立しないという問題もあった。
【００１１】
したがって、本発明の目的の一つは、複数の多面的な条件に基づいてオークションを行なうことを可能にし、販売者と購入者の需給バランスを一層スムーズに調整することにより、売買成約率を高めること等のできる、オークションシステムを提供することである。
【００１２】
また、従来のオークションシステムにおいては、商品の検索性に乏しいという問題があった。具体的には、通常のオークションにおいて購入者が購入したい商品を検索する際や、あるいは、購入用オークションにおいて販売者が販売したい商品を検索する場合には、商品の型番や名称等のみのマッチングを図ることによって商品検索処理が行なわれていた。このため、購入や販売したい商品と同等の機能を持ちながらも、型番等が違うために検索されない商品が多数存在していた。
【００１３】
また、購入者や販売者の事情によっては、自己の希望する商品とは若干機能の異なる商品であっても、売買が成立する場合がある。例えば、販売用オークションにおいて、購入者は、オーバースペックで高額な商品でもいいから購入したい場合や、スペック不足な商品でも許容できるために購入したい場合がある。また、購入用オークションにおいて、販売者は、オーバースペックな商品でも在庫が余っているために低額で販売できる場合がある。しかしながら、上述のような従来のシステムでは、同一商品以外の商品を検索することができない。
このように、従来のオークションシステムでは、購入したい商品や販売したい商品を充分に検索することができないために、売買が成立しない場合があった。
【００１４】
したがって、本発明の他の目的は、商品の検索性を向上させ、購入したい商品や販売したい商品の検索を容易化にすることにより、売買成約率を高めることのできる、オークションシステムを提供することである。
【００１５】
さらに、従来のオークションシステムにおいては、売買の継続性や連続性に乏しいという問題があった。例えば、通常の取り引きであれば、得意先に対しては通常よりも価格を割り引いて販売すること等が行なわれている。これに対して、オークションシステムでは、過去の購入実績等は一切考慮されず、単に最も高い入札価格を提示した購入者等がその入札価格を支払って商品を購入していた。したがって、オークションシステムを利用して継続して売買を行なっても特段のメリットがないため、継続して売買を行なってもらうための意欲を喚起することができなかった。
【００１６】
また、従来は、一定期間内に売買が成立しなかった商品については、単にその登録が抹消されていた。しかしながら、このように売買が成立しない場合であっても、その商品は、その後のかなりの長期間に渡って在庫として販売者の元に存在している可能性が高いため、実際にはこの商品を販売することが可能な場合がある。しかしながら、従来は、売買が成立しなかった後に購入者が現われた場合であっても、その商品は既にオークションシステム上に存在していないため、その存在を知ることができず、この商品を購入等することができなかった。すなわち、オークション後に売買が成立する可能性があるにも関わらず、その可能性を活かすことができなかった。
このように従来のオークションシステムにおいては、過去のデータが活用されていないために、売買意欲を喚起できなかったり、売買成約率を向上させることができなかった。
【００１７】
したがって、本発明の他の目的は、過去のデータを活用することにより、売買意欲を喚起し、あるいは、売買成約率を高めることのできる、オークションシステムを提供することである。
【００１８】
さらに、従来は、販売者や購入者に対するサポートが充分であるとは言えなかった。例えば、ある購入者が入札したにも関わらず商品を落札できなかった場合、この購入者は、自己が落札できなかったという事実以外には、何ら情報を得ることができない。したがって、購入者は、自分の欲しい商品を最初から探し直さなければならなかった。また、このような事態が予想されるために、購入者は、オークションで購入する商品を頼りにして自己の生産等の計画を立てることができなかった。このことは逆に、必要不可欠な商品についてはオークションで購入すべきでないということを意味しており、納期等に余裕のある商品についてしか売買が行なわれないため、事実上、システム全体の利用率や売買成約率を低下させるという問題があった。
【００１９】
したがって、本発明の他の目的は、販売者や購入者に対して各種のサポート情報を提供することにより、システムの利便性や顧客満足度を高め、あるいは、売買成約率を高めることのできる、オークションシステムを提供することである。
【００２０】
【課題を解決するための手段】
このような目的を達成するために、請求項１に記載のオークションシステムは、サーバ装置と複数のクライアント装置とを通信可能に接続して構成されたオークションシステムであって、前記サーバ装置は、出品者の前記クライアント装置から、オークションに出品する商品を特定するための情報が送信されると共に、当該商品をオークションするための複数の条件であって少なくとも当該商品の売買数量を含んで構成される条件群が複数送信された場合に、当該商品を一意に識別するための商品ＩＤを付与すると共に、当該複数の条件群の各々を一意に識別するための複数の条件群ＩＤとを付与し、当該商品ＩＤ、当該商品を特定するための情報、当該複数の条件群ＩＤ、及び、当該複数の条件群を相互に関連付けて商品情報として商品情報データベースに登録する商品情報登録処理手段と、出品者の前記クライアント装置から、出品された商品に対する複数の条件群を通じて売買単価が最高あるいは最低となる入札価格の入札者を落札者とするか、又は、出品された商品に対する複数の条件群を通じて前記出品者の利益額が最高となる入札価格の入札者を落札者とするか、の優先条件を受け付ける優先条件受付手段と、前記商品情報データベースに登録された前記商品情報を、入札者の前記クライアント装置に送信する商品情報閲覧処理手段と、入札者の前記クライアント装置から送信された、入札対象になる商品の商品ＩＤ及び当該商品の条件群ＩＤに対する入札価格を、当該商品ＩＤ及び当該条件群ＩＤに関連付けてオークション情報データベースに登録する入札処理手段と、前記優先条件受付手段によって受け付けた優先条件が、出品された商品に対する複数の条件群を通じて売買単価が最高あるいは最低となる入札価格の入札者を落札者とする優先条件である場合には、前記オークション情報データベースから、開札対象になる商品の商品ＩＤに関連付けて登録された複数の条件群ＩＤの各々に対する入札価格を取得すると共に、前記商品情報データベースから、開札対象になる商品の商品ＩＤに関連付けて登録された複数の条件群の各々に含まれる売買数量を取得し、これら取得した入札価格と売買数量とに基づいて各入札価格に対する売買単価を算定し、当該売買単価が最高あるいは最低となる入札価格の入札者を落札者として決定し、前記優先条件受付手段によって受け付けた優先条件が、出品された商品に対する複数の条件群を通じて前記出品者の利益額が最高となる入札価格の入札者を落札者とする優先条件である場合には、前記オークション情報データベースから、開札対象になる商品の商品ＩＤに関連付けて登録された複数の条件群ＩＤの各々に対する入札価格を取得し、当該入札価格が最高となる入札価格の入札者を落札者として決定し、当該落札者が決定された旨を、当該決定された落札者に対して通知する開札処理手段と、を備えることを特徴とする。
【００２１】
上述したように従来のオークションシステムにおいては、販売者や購入者が提示できるオークションの条件に関して、選択性が狭いという問題があった。これに対して上記本システムによれば、１つの商品をオークションに出品する際に様々な条件を設定することができるので、大量に購入してくれる場合には商品単価を安く設定する等、販売者と購買者の双方にとって売買の戦略性や選択肢の幅が広がる。このため、販売者と購入者の需給バランスを一層スムーズに調整することができ、売買成約率を高めることができる。また、特定の条件群に縛られることなく（すなわち、特定の条件群に対して最高あるいは最低の入札価格を提示した者を単純に落札者として決定するのではなく）、各条件群を通じて売買単価が最高あるいは最低となる入札価格を提示した者を落札者として決定することができ、売買単価を最高あるいは最低にしようとする出品者の売買戦略を反映した売買取引を成立させることができる。あるいは、各条件群を通じて出品者の利益額が最高となる入札価格を提示した者を落札者として決定することができ、利益額を最高にしようとする出品者の売買戦略を反映した売買取引を成立させることができる。
【００２２】
また、請求項２に記載のオークションシステムは、請求項１に記載のオークションシステムにおいて、前記サーバ装置は、各商品を特定するための情報と、各商品に対する上位商品を特定するための情報と、各商品に対する下位商品を特定するための情報と、を相互に関連付けて互換情報として登録する互換情報データベースと、前記クライアント装置から検索対象となる商品を特定するための情報が送信された際、当該商品を特定するための情報に基づいて前記互換情報データベースを参照することにより、当該商品に対する上位商品を特定するための情報または当該商品に対する下位商品を特定するための情報を検索する商品検索処理手段とを備え、前記商品情報閲覧処理手段は、商品検索処理手段によって検索された前記上位商品を特定するための情報又は前記下位商品を特定するための情報に対応する商品情報を前記商品情報データベースから取得し、この商品情報を当該クライアント装置に送信すること、を特徴とする。
【００２３】
上述したように従来のオークションシステムにおいては、商品の検索性に乏しいという問題があった。これに対して上記本システムによれば、単に検索対象と同一の商品のみでなく、上位機能または下位機能を有する商品が検索されるので、同一商品が見つからなかったような場合にも代替商品を利用者に対して迅速かつ容易に提示することができ、売買成約率を高めることができる。
【００２４】
また、請求項３に記載のオークションシステムは、請求項１に記載のオークションシステムにおいて、前記サーバ装置は、各商品を特定するための情報と、各商品の機能項目毎の機能内容と、を相互に関連付けて機能情報として登録する機能情報登録データベースと、前記クライアント装置から検索対象となる商品を特定するための情報が送信された際、当該商品を特定するための情報に基づいて前記機能情報登録データベースを参照することにより、当該商品の機能項目毎の機能内容を取得し、当該機能内容と同一の機能内容を有する商品を特定するための情報を検索する商品検索処理手段とを備え、前記商品情報閲覧処理手段は、商品検索処理手段によって検索された前記商品を特定するための情報に対応する商品情報を前記商品情報データベースから取得し、この商品情報を当該クライアント装置に送信すること、を特徴とする。
【００２５】
このシステムによれば、検索対象となる商品と同等の機能を有する商品が、商品検索処理手段にて検索される。このように、検索対象と同等の機能を有する商品が検索されるので、同一商品が見つからなかったような場合にも代替商品を利用者に対して迅速かつ容易に提示することができ、売買成約率を高めることができる。なお、同等の機能を有する商品とは、完全に同一の機能を有する商品の他、利用者が許容できる程度の機能差を有する商品を含む意味である。
【００２６】
また、請求項４に記載のオークションシステムは、請求項１に記載のオークションシステムにおいて、前記サーバ装置は、オークション対象から除外された各商品の商品ＩＤと、当該各商品を特定するための情報と、当該商品の条件群ＩＤと、当該商品の条件群と、を相互に関連付けて商品履歴情報として登録する商品履歴情報データベースと、前記クライアント装置から検索対象となる商品を特定するための情報が送信された際、当該商品を特定するための情報に基づいて前記商品履歴情報データベースを参照することにより、当該商品を特定するための情報に関連付けられた商品の商品ＩＤを検索する商品検索処理手段とを備え、前記商品情報閲覧処理手段は、商品検索処理手段によって検索された前記商品ＩＤに対応する商品情報を前記商品情報データベースから取得し、この商品情報を当該クライアント装置に送信すること、を特徴とする。
【００２７】
このシステムによれば、過去のオークションで売買が成立しなかった商品であって、販売者が未だに在庫として保有している商品や、購入者が未だに購入を希望しているような商品について検索を行なうことができ、売買の問い合わせ等を行なうことができる。したがって、より広範に商品の情報を提供することができ、売買成約率を高めることができる。
【００２８】
また、請求項５に記載のオークションシステムは、請求項１から４のいずれか一項に記載のオークションシステムにおいて、前記サーバ装置は、過去に行なわれたオークションの各商品を特定するための情報と、当該各商品の過去のオークションにおける売買成立の有無、当該各商品の過去のオークションにおける入札総数、又は、当該各商品の過去のオークションにおける前記クライアント装置からの商品情報の閲覧総数と、を相互に関連付けてオークション履歴情報として登録するオークション履歴情報データベースと、前記クライアント装置から前記商品を特定するための情報と前記条件群とが送信された際、当該商品を特定するための情報に基づいて前記オークション履歴情報データベースを参照することにより、当該商品を特定するための情報に関連付けられた前記売買成立の有無、前記入札総数、又は、前記閲覧総数を取得し、前記売買成立の有無によって過去の売買成立が登録されているか否かを判断することにより、あるいは、前記入札総数又は前記閲覧総数が所定数以上であるか否かを判断することにより、前記クライアント装置から送信された前記商品を特定するための情報と前記条件群との妥当性を判断する判断手段とを備え、前記商品情報登録処理手段は、前記判断手段によって前記商品を特定するための情報と前記条件群との妥当性があると判断された場合にのみ、当該商品を特定するための情報と当該条件群とを前記商品情報データベースに登録すること、を特徴とする。
【００２９】
このシステムによれば、需要度の低い商品についてはオークションへの出品を取り止めたりすること等ができ、逆に、需要度の高い商品についてはオークションの目玉商品として取り扱うこと等ができ、売買成約率を一層高めることができる。
【００３０】
また、請求項６に記載のオークションシステムは、請求項１から５のいずれか一項に記載のオークションシステムにおいて、出品者の前記クライアント装置から送信される前記条件群の各々には、オークションに出品する商品の最低落札価格が含まれ、前記サーバ装置は、過去に行なわれたオークションの各商品を特定するための情報と、当該各商品の過去のオークションにおける落札価格と、を相互に関連付けてオークション履歴情報として登録するオークション履歴情報データベースと、前記クライアント装置から前記商品を特定するための情報と前記条件群とが送信された際、当該商品を特定するための情報に基づいて前記オークション履歴情報データベースを参照することにより、当該商品を特定するための情報に関連付けられた各商品の落札価格を取得し、当該取得した落札価格に対して前記クライアント装置から送信された前記条件群に含まれる最低落札価格が所定価格以上高く設定されているか否かを判断することにより、当該最低落札価格の妥当性を判断する判断手段とを備え、前記商品情報登録処理手段は、前記判断手段によって前記最低落札価格の妥当性があると判断された場合にのみ、前記クライアント装置から送信された前記商品を特定するための情報と前記条件群とを前記商品情報データベースに登録すること、を特徴とする。
【００３１】
このシステムによれば、クライアントから提示された最低落札価格の妥当性が判断されるので、最低落札価格が妥当でない場合には事前に調整してからオークションに出品すること等ができ、売買成約率を一層高めることができる。
【００３２】
また、請求項７に記載のオークションシステムは、請求項１から４のいずれか一項に記載のオークションシステムにおいて、前記サーバ装置は、過去に行なわれたオークションの各商品を特定するための情報と、当該各商品の過去のオークションにおいてオークション期間の開始から落札価格が提示されるまでに要した期間と、を相互に関連付けてオークション履歴情報として登録するオークション履歴情報データベースと、前記クライアント装置から登録対象となる商品を特定するための情報が送信された際、当該商品を特定するための情報に基づいて前記オークション履歴情報データベースを参照することにより、当該商品を特定するための情報に関連付けられたオークション期間の開始から落札価格が提示されるまでに要した期間を取得し、当該期間に基づいて、前記商品のオークション期間を算定するオークション期間算出手段と、を備えることを特徴とする
【００３３】
このシステムによれば、過去の売買によって蓄積された情報を活用して、オークション期間を最適なものに設定すること等ができ、オークション期間が短か過ぎて売買が成立しないことや、オークション期間が無駄に長くなり過ぎることを防止することができ、短い期間で最適な売買を行なうことができる。
【００３４】
また、請求項８に記載のオークションシステムは、請求項１から４のいずれか一項に記載のオークションシステムにおいて、前記サーバ装置は、過去に行なわれたオークションの各商品を特定するための情報と、当該各商品を出品または入札した利用者の利用者ＩＤと、を相互に関連付けてオークション履歴情報として登録するオークション履歴情報データベースと、商品が落札された場合に、当該落札された商品を出品または入札した利用者の利用者ＩＤに基づいて前記オークション履歴情報データベースを参照することにより、当該利用者ＩＤに関連付けて登録されているオークションの回数を算出し、この回数に応じて当該利用者に対する所定の料金割り引き演算を行う演算手段と、を備えることを特徴とする。
【００３５】
このシステムによれば、例えば、本システムにおいて売買に関与した回数が所定数以上の場合には手数料を一定率で割り引く等することで、利用者に本システムを繰り返し利用することのインセンティブが発生し、本システムの利用率が向上する。
【００３６】
また、請求項９に記載のオークションシステムは、請求項２から４のいずれか一項に記載のオークションシステムにおいて、前記サーバ装置は、前記開札処理手段によって落札者が決定された場合に、当該落札者として決定されなかった入札者の前記クライアント装置から送信された商品を特定するための情報に基づいて、前記商品検索処理手段に検索を行わせると共に、この商品検索処理手段によって検索された前記商品を特定するための情報に対応する商品情報を前記商品情報データベースから取得し、この商品情報を、当該入札者が代わりの商品を探す際の参考となり得る代替情報として、当該入札者の前記クライアント装置に送信する代替情報送信手段を備えること、を特徴とする。
【００３７】
上述したように従来のオークションシステムにおいては、利用者のサポート性に乏しいという問題があった。これに対して上記本システムによれば、落札者として決定されなかった入札者が存在する場合には、この入札者に対して、商品検索処理手段による検索結果が自動的に送信される。したがって、商品を落札することのできなかった利用者は、この検索結果を見て、同一機能を有する他の商品や、上位または下位機能を有する他の商品等、代替となる商品を容易に見つけて新たな入札を行なうことができる。あるいは、利用者は、検索結果を見て、過去にオークションに出品されながら売買が成立しなかった商品を容易に見つけて、この商品の販売者等に取い合わせを行なうことができる。これらのことから、利用者に対して、商品を見つける機会を一層多く与えることができ、売買成約率を高めることができる。
【００３８】
また、本発明はオークション方法に関するものであり、請求項１０に記載のオークション方法は、サーバ装置と複数のクライアント装置とを通信可能に接続して構成されたシステムを用いてオークションを行うオークション方法であって、前記サーバ装置が、出品者の前記クライアント装置から、オークションに出品する商品を特定するための情報が送信されると共に、当該商品をオークションするための複数の条件であって少なくとも当該商品の売買数量を含んで構成される条件群が複数送信された場合に、当該商品を一意に識別するための商品ＩＤを付与すると共に、当該複数の条件群の各々を一意に識別するための複数の条件群ＩＤとを付与し、当該商品ＩＤ、当該商品を特定するための情報、当該複数の条件群ＩＤ、及び、当該複数の条件群を相互に関連付けて商品情報として商品情報データベースに登録する商品情報登録処理手順と、出品者の前記クライアント装置から、出品された商品に対する複数の条件群を通じて売買単価が最高あるいは最低となる入札価格の入札者を落札者とするか、又は、出品された商品に対する複数の条件群を通じて前記出品者の利益額が最高となる入札価格の入札者を落札者とするか、の優先条件を受け付ける優先条件受付手順と、前記商品情報データベースに登録された前記商品情報を、入札者の前記クライアント装置に送信する商品情報閲覧処理手順と、入札者の前記クライアント装置から送信された、入札対象になる商品の商品ＩＤ及び当該商品の条件群ＩＤに対する入札価格を、当該商品ＩＤ及び当該条件群ＩＤに関連付けてオークション情報データベースに登録する入札処理手順と、前記優先条件受付手順において受け付けた優先条件が、出品された商品に対する複数の条件群を通じて売買単価が最高あるいは最低となる入札価格の入札者を落札者とする優先条件である場合には、前記オークション情報データベースから、開札対象になる商品の商品ＩＤに関連付けて登録された複数の条件群ＩＤの各々に対する入札価格を取得すると共に、前記商品情報データベースから、開札対象になる商品の商品ＩＤに関連付けて登録された複数の条件群の各々に含まれる売買数量を取得し、これら取得した入札価格と売買数量とに基づいて各入札価格に対する売買単価を算定し、当該売買単価が最高あるいは最低となる入札価格の入札者を落札者として決定し、前記優先条件受付手順において受け付けた優先条件が、出品された商品に対する複数の条件群を通じて前記出品者の利益額が最高となる入札価格の入札者を落札者とする優先条件である場合には、前記オークション情報データベースから、開札対象になる商品の商品ＩＤに関連付けて登録された複数の条件群ＩＤの各々に対する入札価格を取得し、当該入札価格が最高となる入札価格の入札者を落札者として決定し、当該落札者が決定された旨を、当該決定された落札者に対して通知する開札処理手順と、を実行することを特徴とする。
【００３９】
この方法によれば、１つの商品をオークションに出品する際に様々な条件を設定することができるので、大量に購入してくれる場合には商品単価を安く設定する等、販売者と購買者の双方にとって売買の戦略性や選択肢の幅が広がる。このため、販売者と購入者の需給バランスを一層スムーズに調整することができ、売買成約率を高めることができる。また、特定の条件群に縛られることなく（すなわち、特定の条件群に対して最高あるいは最低の入札価格を提示した者を単純に落札者として決定するのではなく）、各条件群を通じて売買単価が最高あるいは最低となる入札価格を提示した者を落札者として決定することができ、売買単価を最高あるいは最低にしようとする出品者の売買戦略を反映した売買取引を成立させることができる。あるいは、各条件群を通じて出品者の利益額が最高となる入札価格を提示した者を落札者として決定することができ、利益額を最高にしようとする出品者の売買戦略を反映した売買取引を成立させることができる。
【００４０】
また、請求項１１に記載のオークション方法は、請求項１０に記載のオークション方法において、前記サーバ装置が、各商品を特定するための情報と、各商品に対する上位商品を特定するための情報と、各商品に対する下位商品を特定するための情報と、を相互に関連付けて互換情報として登録する互換情報データベースをさらに備え、前記クライアント装置から検索対象となる商品を特定するための情報が送信された際、当該商品を特定するための情報に基づいて前記互換情報データベースを参照することにより、当該商品に対する上位商品を特定するための情報または当該商品に対する下位商品を特定するための情報を検索する商品検索処理手順を実行し、前記商品情報閲覧処理手順において、前記商品検索処理手順において検索された前記上位商品を特定するための情報又は前記下位商品を特定するための情報に対応する商品情報を前記商品情報データベースから取得し、この商品情報を当該クライアント装置に送信すること、を特徴とする。
【００４１】
この方法によれば、検索対象と上位機能または下位機能を有する商品が検索されるので、同一商品が見つからなかったような場合にも代替商品を利用者に対して迅速かつ容易に提示することができ、売買成約率を高めることができる。
【００４２】
また、請求項１２に記載のオークション方法は、請求項１０に記載のオークション方法において、前記サーバ装置が、各商品を特定するための情報と、各商品の機能項目毎の機能内容と、を相互に関連付けて機能情報として登録する機能情報登録データベースをさらに備え、前記クライアント装置から検索対象となる商品を特定するための情報が送信された際、当該商品を特定するための情報に基づいて前記機能情報登録データベースを参照することにより、当該商品の機能項目毎の機能内容を取得し、当該機能内容と同一の機能内容を有する商品を特定するための情報を検索する商品検索処理手順を実行し、前記商品情報閲覧処理手順において、前記商品検索処理手順において検索された前記商品を特定するための情報に対応する商品情報を前記商品情報データベースから取得し、この商品情報を当該クライアント装置に送信すること、を特徴とする。
【００４３】
この方法によれば、過去のオークションで売買が成立しなかった商品であって、販売者が未だに在庫として保有している商品や、購入者が未だに購入を希望しているような商品について検索を行なうことができ、売買の問い合わせ等を行なうことができる。したがって、より広範に商品の情報を提供することができ、売買成約率を高めることができる。
【００４４】
また、請求項１３に記載のオークション方法は、請求項１０に記載のオークション方法において、前記サーバ装置が、オークション対象から除外された各商品の商品ＩＤと、当該各商品を特定するための情報と、当該商品の条件群ＩＤと、当該商品の条件群と、を相互に関連付けて商品履歴情報として登録する商品履歴情報データベースをさらに備え、前記クライアント装置から検索対象となる商品を特定するための情報が送信された際、当該商品を特定するための情報に基づいて前記商品履歴情報データベースを参照することにより、当該商品を特定するための情報に関連付けられた商品の商品ＩＤを検索する商品検索処理手順を実行し、前記商品情報閲覧処理手順において、前記商品検索処理手順において検索された前記商品ＩＤに対応する商品情報を前記商品情報データベースから取得し、この商品情報を当該クライアント装置に送信すること、を特徴とする。
【００４５】
この方法によれば、過去のオークションで売買が成立しなかった商品であって、販売者が未だに在庫として保有している商品や、購入者が未だに購入を希望しているような商品について検索を行なうことができ、売買の問い合わせ等を行なうことができる。したがって、より広範に商品の情報を提供することができ、売買成約率を高めることができる。
【００４６】
また、請求項１４に記載のオークション方法は、請求項１０から１３のいずれか一項に記載のオークション方法において、前記サーバ装置が、過去に行なわれたオークションの各商品を特定するための情報と、当該各商品の過去のオークションにおける売買成立の有無、当該各商品の過去のオークションにおける入札総数、又は、当該各商品の過去のオークションにおける前記クライアント装置からの商品情報の閲覧総数と、を相互に関連付けてオークション履歴情報として登録するオークション履歴情報データベースをさらに備え、前記クライアント装置から前記商品を特定するための情報と前記条件群とが送信された際、当該商品を特定するための情報に基づいて前記オークション履歴情報データベースを参照することにより、当該商品を特定するための情報に関連付けられた前記売買成立の有無、前記入札総数、又は、前記閲覧総数を取得し、前記売買成立の有無によって過去の売買成立が登録されているか否かを判断することにより、あるいは、前記入札総数又は前記閲覧総数が所定数以上であるか否かを判断することにより、前記クライアント装置から送信された前記商品を特定するための情報と前記条件群との妥当性を判断する判断手順を実行し、前記商品情報登録処理手順において、前記判断手順において前記商品を特定するための情報と前記条件群との前記妥当性があると判断された場合にのみ、当該商品を特定するための情報と当該条件群とを前記商品情報データベースに登録すること、を特徴とする。
【００４７】
この方法によれば、需要度の低い商品についてはオークションへの出品を取り止めたりすること等ができ、逆に、需要度の高い商品についてはオークションの目玉商品として取り扱うこと等ができ、売買成約率を一層高めることができる。
【００４８】
また、請求項１５に記載のオークション方法は、請求項１０から１４のいずれか一項に記載のオークション方法において、前記商品情報登録処理手順において出品者の前記クライアント装置から送信される条件群の各々には、オークションに出品する商品の最低落札価格が含まれ、前記サーバ装置が、過去に行なわれたオークションの各商品を特定するための情報と、当該各商品の過去のオークションにおける落札価格と、を相互に関連付けてオークション履歴情報として登録するオークション履歴情報データベースをさらに備え、前記クライアント装置から前記商品を特定するための情報と前記条件群とが送信された際、当該商品を特定するための情報に基づいて前記オークション履歴情報データベースを参照することにより、当該商品を特定するための情報に関連付けられた各商品の落札価格を取得し、当該取得した落札価格に対して前記クライアント装置から送信された前記条件群に含まれる最低落札価格が所定価格以上高く設定されているか否かを判断することにより、当該最低落札価格の妥当性を判断する判断手順を実行し、前記商品情報登録処理手順において、前記判断手順において前記最低落札価格の妥当性があると判断された場合にのみ、前記クライアント装置から送信された前記商品を特定するための情報と前記条件群とを前記商品情報データベースに登録すること、を特徴とする。
【００４９】
この方法によれば、クライアントから提示された最低落札価格の妥当性が判断されるので、最低落札価格が妥当でない場合には事前に調整してからオークションに出品すること等ができ、売買成約率を一層高めることができる。
【００５０】
また、請求項１６に記載のオークション方法は、請求項１０から１３のいずれか一項に記載のオークション方法において、前記サーバ装置が、過去に行なわれたオークションの各商品を特定するための情報と、当該各商品の過去のオークションにおいてオークション期間の開始から落札価格が提示されるまでに要した期間と、を相互に関連付けてオークション履歴情報として登録するオークション履歴情報データベースをさらに備え、前記クライアント装置から登録対象となる商品を特定するための情報が送信された際、当該商品を特定するための情報に基づいて前記オークション履歴情報データベースを参照することにより、当該商品を特定するための情報に関連付けられたオークション期間の開始から落札価格が提示されるまでに要した期間を取得し、当該期間に基づいて、前記商品のオークション期間を算定するオークション期間算出手順を実行すること、を特徴とする。
【００５１】
この方法によれば、過去の売買によって蓄積された情報を活用して、オークション期間を最適なものに設定すること等ができ、オークション期間が短か過ぎて売買が成立しないことや、オークション期間が無駄に長くなり過ぎることを防止することができ、短い期間で最適な売買を行なうことができる。
【００５２】
また、請求項１７に記載のオークション方法は、請求項１０から１３のいずれか一項に記載のオークション方法において、前記サーバ装置が、過去に行なわれたオークションの各商品を特定するための情報と、当該各商品を出品または入札した利用者の利用者ＩＤと、を相互に関連付けてオークション履歴情報として登録するオークション履歴情報データベースをさらに備え、商品が落札された場合に、当該落札された商品を出品または入札した利用者の利用者ＩＤに基づいて前記オークション履歴情報データベースを参照することにより、当該利用者ＩＤに関連付けて登録されているオークションの回数を算出し、この回数に応じて当該利用者に対する所定の料金割り引き演算を行う演算手順を実行すること、を特徴とする。
【００５３】
この方法によれば、例えば、本システムにおいて売買に関与した回数が所定数以上の場合には手数料を一定率で割り引く等することで、利用者に本システムを繰り返し利用することのインセンティブが発生し、本システムの利用率が向上する。
【００５４】
また、請求項１８に記載のオークション方法は、請求項１１から１３のいずれか一項に記載のオークション方法において、前記サーバ装置が、前記開札処理手順において落札者が決定された場合に、当該落札者として決定されなかった入札者の前記クライアント装置から先に送信された商品を特定するための情報に基づいて、前記商品検索処理手順における検索を行わせると共に、この商品検索処理手順において検索された前記商品を特定するための情報に対応する商品情報を前記商品情報データベースから取得し、この商品情報を、当該入札者が代わりの商品を探す際の参考となり得る代替情報として、当該入札者の前記クライアント装置に送信する代替情報送信手順を実行すること、を特徴とする。
【００５５】
この方法によれば、落札者として決定されなかった入札者が存在する場合には、この入札者に対して、商品検索処理手段による検索結果が自動的に送信される。したがって、商品を落札することのできなかった利用者は、この検索結果を見て、同一機能を有する他の商品や、上位または下位機能を有する他の商品等、代替となる商品を容易に見つけて新たな入札を行なうことができる。あるいは、利用者は、検索結果を見て、過去にオークションに出品されながら売買が成立しなかった商品を容易に見つけて、この商品の販売者等に取い合わせを行なうことができる。これらのことから、利用者に対して、商品を見つける機会を一層多く与えることができ、売買成約率を高めることができる。
【００５６】
また、本発明はコンピュータ読み取り可能な記録媒体に関するものであり、請求項１９に記載の記録媒体は、サーバ装置と複数のクライアント装置とを通信可能に接続して構成されたシステムを用いてオークションを行うオークション方法をコンピュータとしての前記サーバ装置に実行させるためのプログラムを記録したコンピュータ読み取り可能な記録媒体であって、前記サーバ装置が、出品者の前記クライアント装置から、オークションに出品する商品を特定するための情報が送信されると共に、当該商品をオークションするための複数の条件であって少なくとも当該商品の売買数量を含んで構成される条件群が複数送信された場合に、当該商品を一意に識別するための商品ＩＤを付与すると共に、当該複数の条件群の各々を一意に識別するための複数の条件群ＩＤとを付与し、当該商品ＩＤ、当該商品を特定するための情報、当該複数の条件群ＩＤ、及び、当該複数の条件群を相互に関連付けて商品情報として商品情報データベースに登録する商品情報登録処理手順と、出品者の前記クライアント装置から、出品された商品に対する複数の条件群を通じて売買単価が最高あるいは最低となる入札価格の入札者を落札者とするか、又は、出品された商品に対する複数の条件群を通じて前記出品者の利益額が最高となる入札価格の入札者を落札者とするか、の優先条件を受け付ける優先条件受付手順と、前記商品情報データベースに登録された前記商品情報を、入札者の前記クライアント装置に送信する商品情報閲覧処理手順と、入札者の前記クライアント装置から送信された、入札対象になる商品の商品ＩＤ及び当該商品の条件群ＩＤに対する入札価格を、当該商品ＩＤ及び当該条件群ＩＤに関連付けてオークション情報データベースに登録する入札処理手順と、前記優先条件受付手順において受け付けた優先条件が、出品された商品に対する複数の条件群を通じて売買単価が最高あるいは最低となる入札価格の入札者を落札者とする優先条件である場合には、前記オークション情報データベースから、開札対象になる商品の商品ＩＤに関連付けて登録された複数の条件群ＩＤの各々に対する入札価格を取得すると共に、前記商品情報データベースから、開札対象になる商品の商品ＩＤに関連付けて登録された複数の条件群の各々に含まれる売買数量を取得し、これら取得した入札価格と売買数量とに基づいて各入札価格に対する売買単価を算定し、当該売買単価が最高あるいは最低となる入札価格の入札者を落札者として決定し、前記優先条件受付手順において受け付けた優先条件が、出品された商品に対する複数の条件群を通じて前記出品者の利益額が最高となる入札価格の入札者を落札者とする優先条件である場合には、前記オークション情報データベースから、開札対象になる商品の商品ＩＤに関連付けて登録された複数の条件群ＩＤの各々に対する入札価格を取得し、当該入札価格が最高となる入札価格の入札者を落札者として決定し、当該落札者が決定された旨を、当該決定された落札者に対して通知する開札処理手順と、を実行するプログラムを記録したことを特徴とする。
【００５７】
この記録媒体によれば、当該記録媒体に記録されたプログラムをコンピュータに読み取らせることによって、１つの商品をオークションに出品する際に様々な条件を設定することができるので、大量に購入してくれる場合には商品単価を安く設定する等、販売者と購買者の双方にとって売買の戦略性や選択肢の幅が広がる。このため、販売者と購入者の需給バランスを一層スムーズに調整することができ、売買成約率を高めることができる。また、特定の条件群に縛られることなく（すなわち、特定の条件群に対して最高あるいは最低の入札価格を提示した者を単純に落札者として決定するのではなく）、各条件群を通じて売買単価が最高あるいは最低となる入札価格を提示した者を落札者として決定することができ、売買単価を最高あるいは最低にしようとする出品者の売買戦略を反映した売買取引を成立させることができる。あるいは、各条件群を通じて出品者の利益額が最高となる入札価格を提示した者を落札者として決定することができ、利益額を最高にしようとする出品者の売買戦略を反映した売買取引を成立させることができる。
【００５８】
また、請求項２０に記載の記録媒体は、請求項１９に記載の記録媒体において、前記サーバ装置が、各商品を特定するための情報と、各商品に対する上位商品を特定するための情報と、各商品に対する下位商品を特定するための情報と、を相互に関連付けて互換情報として登録する互換情報データベースをさらに備え、前記クライアント装置から検索対象となる商品を特定するための情報が送信された際、当該商品を特定するための情報に基づいて前記互換情報データベースを参照することにより、当該商品に対する上位商品を特定するための情報または当該商品に対する下位商品を特定するための情報を検索する商品検索処理手順を実行し、前記商品情報閲覧処理手順において、前記商品検索処理手順において検索された前記上位商品を特定するための情報又は前記下位商品を特定するための情報に対応する商品情報を前記商品情報データベースから取得し、この商品情報を当該クライアント装置に送信するプログラムを記録したこと、を特徴とする。
【００５９】
この記録媒体によれば、検索対象と上位機能または下位機能を有する商品が検索されるので、同一商品が見つからなかったような場合にも代替商品を利用者に対して迅速かつ容易に提示することができ、売買成約率を高めることができる。
【００６０】
また、請求項２１に記載の記録媒体は、請求項１９に記載の記録媒体において、前記サーバ装置が、各商品を特定するための情報と、各商品の機能項目毎の機能内容と、を相互に関連付けて機能情報として登録する機能情報登録データベースをさらに備え、前記クライアント装置から検索対象となる商品を特定するための情報が送信された際、当該商品を特定するための情報に基づいて前記機能情報登録データベースを参照することにより、当該商品の機能項目毎の機能内容を取得し、当該機能内容と同一の機能内容を有する商品を特定するための情報を検索する商品検索処理手順を実行し、前記商品情報閲覧処理手順において、前記商品検索処理手順において検索された前記商品を特定するための情報に対応する商品情報を前記商品情報データベースから取得し、この商品情報を当該クライアント装置に送信するプログラムを記録したこと、を特徴とする。
【００６１】
この記録媒体によれば、検索対象となる商品と同等の機能を有する商品が、商品検索処理手段にて検索される。このように、検索対象と同等の機能を有する商品が検索されるので、同一商品が見つからなかったような場合にも代替商品を利用者に対して迅速かつ容易に提示することができ、売買成約率を高めることができる。なお、同等の機能を有する商品とは、完全に同一の機能を有する商品の他、利用者が許容できる程度の機能差を有する商品を含む意味である。
【００６２】
また、請求項２２に記載の記録媒体は、請求項１９に記載の記録媒体において、前記サーバ装置が、オークション対象から除外された各商品の商品ＩＤと、当該各商品を特定するための情報と、当該商品の条件群ＩＤと、当該商品の条件群と、を相互に関連付けて商品履歴情報として登録する商品履歴情報データベースをさらに備え、前記クライアント装置から検索対象となる商品を特定するための情報が送信された際、当該商品を特定するための情報に基づいて前記商品履歴情報データベースを参照することにより、当該商品を特定するための情報に関連付けられた商品の商品ＩＤを検索する商品検索処理手順を実行し、前記商品情報閲覧処理手順において、前記商品検索処理手順において検索された前記商品ＩＤに対応する商品情報を前記商品情報データベースから取得し、この商品情報を当該クライアント装置に送信するプログラムを記録したこと、を特徴とする。
【００６３】
この記録媒体によれば、過去のオークションで売買が成立しなかった商品であって、販売者が未だに在庫として保有している商品や、購入者が未だに購入を希望しているような商品について検索を行なうことができ、売買の問い合わせ等を行なうことができる。したがって、より広範に商品の情報を提供することができ、売買成約率を高めることができる。
【００６４】
また、請求項２３に記載の記録媒体は、請求項１９から２２のいずれか一項に記載の記録媒体において、前記サーバ装置が、過去に行なわれたオークションの各商品を特定するための情報と、当該各商品の過去のオークションにおける売買成立の有無、当該各商品の過去のオークションにおける入札総数、又は、当該各商品の過去のオークションにおける前記クライアント装置からの商品情報の閲覧総数と、を相互に関連付けてオークション履歴情報として登録するオークション履歴情報データベースをさらに備え、前記クライアント装置から前記商品を特定するための情報と前記条件群とが送信された際、当該商品を特定するための情報に基づいて前記オークション履歴情報データベースを参照することにより、当該商品を特定するための情報に関連付けられた前記売買成立の有無、前記入札総数、又は、前記閲覧総数を取得し、前記売買成立の有無によって過去の売買成立が登録されているか否かを判断することにより、あるいは、前記入札総数又は前記閲覧総数が所定数以上であるか否かを判断することにより、前記クライアント装置から送信された前記商品を特定するための情報と前記条件群との妥当性を判断する判断手順を実行し、前記商品情報登録処理手順において、前記判断手順において前記商品を特定するための情報と前記条件群との前記妥当性があると判断された場合にのみ、当該商品を特定するための情報と当該条件群とを前記商品情報データベースに登録するプログラムを記録したこと、を特徴とする。
【００６５】
この記録媒体によれば、需要度の低い商品についてはオークションへの出品を取り止めたりすること等ができ、逆に、需要度の高い商品についてはオークションの目玉商品として取り扱うこと等ができ、売買成約率を一層高めることができる。
【００６６】
また、請求項２４に記載の記録媒体は、請求項１９から２３のいずれか一項に記載の記録媒体において、前記商品情報登録処理手順において出品者の前記クライアント装置から送信される条件群の各々には、オークションに出品する商品の最低落札価格が含まれ、前記サーバ装置が、過去に行なわれたオークションの各商品を特定するための情報と、当該各商品の過去のオークションにおける落札価格と、を相互に関連付けてオークション履歴情報として登録するオークション履歴情報データベースをさらに備え、前記クライアント装置から前記商品を特定するための情報と前記条件群とが送信された際、当該商品を特定するための情報に基づいて前記オークション履歴情報データベースを参照することにより、当該商品を特定するための情報に関連付けられた各商品の落札価格を取得し、当該取得した落札価格に対して前記クライアント装置から送信された前記条件群に含まれる最低落札価格が所定価格以上高く設定されているか否かを判断することにより、当該最低落札価格の妥当性を判断する判断手順を実行し、前記商品情報登録処理手順において、前記判断手順において前記最低落札価格の妥当性があると判断された場合にのみ、前記クライアント装置から送信された前記商品を特定するための情報と前記条件群とを前記商品情報データベースに登録するプログラムを記録したこと、を特徴とする。
【００６７】
この記録媒体によれば、クライアントから提示された最低落札価格の妥当性が判断されるので、最低落札価格が妥当でない場合には事前に調整してからオークションに出品すること等ができ、売買成約率を一層高めることができる。
【００６８】
また、請求項２５に記載の記録媒体は、請求項１９から２２のいずれか一項に記載の記録媒体において、前記サーバ装置が、過去に行なわれたオークションの各商品を特定するための情報と、当該各商品の過去のオークションにおいてオークション期間の開始から落札価格が提示されるまでに要した期間と、を相互に関連付けてオークション履歴情報として登録するオークション履歴情報データベースをさらに備え、前記クライアント装置から登録対象となる商品を特定するための情報が送信された際、当該商品を特定するための情報に基づいて前記オークション履歴情報データベースを参照することにより、当該商品を特定するための情報に関連付けられたオークション期間の開始から落札価格が提示されるまでに要した期間を取得し、当該期間に基づいて、前記商品のオークション期間を算定するオークション期間算出手順を実行するプログラムを記録したこと、を特徴とする。
【００６９】
この記録媒体によれば、過去の売買によって蓄積された情報を活用して、オークション期間を最適なものに設定すること等ができ、オークション期間が短か過ぎて売買が成立しないことや、オークション期間が無駄に長くなり過ぎることを防止することができ、短い期間で最適な売買を行なうことができる。
【００７０】
また、請求項２６に記載の記録媒体は、請求項１９から２２のいずれか一項に記載の記録媒体において、前記サーバ装置が、過去に行なわれたオークションの各商品を特定するための情報と、当該各商品を出品または入札した利用者の利用者ＩＤと、を相互に関連付けてオークション履歴情報として登録するオークション履歴情報データベースをさらに備え、商品が落札された場合に、当該落札された商品を出品または入札した利用者の利用者ＩＤに基づいて前記オークション履歴情報データベースを参照することにより、当該利用者ＩＤに関連付けて登録されているオークションの回数を算出し、この回数に応じて当該利用者に対する所定の料金割り引き演算を行う演算手順を実行するプログラムを記録したこと、を特徴とする。
【００７１】
この記録媒体によれば、例えば、本システムにおいて売買に関与した回数が所定数以上の場合には手数料を一定率で割り引く等することで、利用者に本システムを繰り返し利用することのインセンティブが発生し、本システムの利用率が向上する。
【００７２】
また、請求項２７に記載の記録媒体は、請求項２０から２２のいずれか一項に記載の記録媒体において、前記サーバ装置が、前記開札処理手順において落札者が決定された場合に、当該落札者として決定されなかった入札者の前記クライアント装置から先に送信された商品を特定するための情報に基づいて、前記商品検索処理手順における検索を行わせると共に、この商品検索処理手順において検索された前記商品を特定するための情報に対応する商品情報を前記商品情報データベースから取得し、この商品情報を、当該入札者が代わりの商品を探す際の参考となり得る代替情報として、当該入札者の前記クライアント装置に送信する代替情報送信手順を実行するプログラムを記録したこと、を特徴とする。
【００７３】
この記録媒体によれば、落札者として決定されなかった入札者が存在する場合には、この入札者に対して、商品検索処理手段による検索結果が自動的に送信される。したがって、商品を落札することのできなかった利用者は、この検索結果を見て、同一機能を有する他の商品や、上位または下位機能を有する他の商品等、代替となる商品を容易に見つけて新たな入札を行なうことができる。あるいは、利用者は、検索結果を見て、過去にオークションに出品されながら売買が成立しなかった商品を容易に見つけて、この商品の販売者等に取い合わせを行なうことができる。これらのことから、利用者に対して、商品を見つける機会を一層多く与えることができ、売買成約率を高めることができる。
【００７９】
【発明の実施の形態】
以下、本発明にかかるオークションシステム（以下、本システム）、オークション方法（以下、本方法）、および、プログラムを記録したコンピュータ読み取り可能な記録媒体（以下、本媒体）の一つの実施形態を図面に基づいて詳細に説明する。なお、この実施の形態によりこの発明が限定されるものではない。特に、本システムにて売買することのできる商品は任意である。
【００８０】
（本システムの概要）
図１はこの実施の形態にかかるオークションシステム全体の構成図である。
本システムは、図１に示すように、サーバ装置１と、複数のクライアント装置２とを、インターネット３を介して相互に通信可能に接続して構成されている。以下、本システムにて行われるオークションの概要について説明し、その後、本システムの構成および処理等の詳細について説明する。
【００８１】
（オークションの概要）
本システムでは、当該システムの利用者として予め登録された企業や個人の間で、上述した２通りのオークション、すなわち、通常のオークションと、購入用オークションとを行なうことができる。
このうち、通常のオークションでは、商品の販売者が、販売したい商品に関する情報をクライアント装置２を介してサーバ装置１に登録する。そして、商品の購入者は、この登録された情報をクライアント装置２を介して閲覧や検索することができ、自己の購入したい商品がある場合には、クライアント装置２を介して入札を行なうことができる。そして、オークション期間経過後に、自動的に開札が行なわれ、この開札結果が関係者に通知される。
【００８２】
また、購入用オークションでは、商品の購入者が、自己の購入したい商品に関する情報をクライアント装置２を介してサーバ装置１に登録する。そして、商品の販売者は、この登録された情報をクライアント装置２を介して閲覧することができ、販売したい商品がある場合には、クライアント装置２を介して入札を行なう。そして、オークション期間経過後に、自動的に開札が行なわれ、この開札結果が関係者に通知される。
なお、以下の説明では、商品の販売者と購入者を、必要に応じて「利用者」と総称する。
【００８３】
ここで、本実施形態におけるオークションでは、従来に比べて、商品の選択性の向上が図られている。その一例として、利用者は、商品の登録を行なう際に複数の条件群を登録することができ、利用者は、商品の入札を行なう際に各条件群のいずれかを選択して入札を行なうことができる。
【００８４】
また、このオークションでは、従来に比べて、検索性の向上が図られている。その一例として、利用者は、商品の検索を行なう際、特定の商品を中心として、その商品と同一の商品（同一商品）をサーチする検索（同一検索）、その商品よりも上位機能を有する商品（上位商品）をサーチする検索（上位検索）、その商品よりも下位機能を有する商品（下位商品）をサーチする検索（下位検索）、あるいは、その商品と同様の機能を有する商品（同機能商品）をサーチする検索（同機能検索）を選択的に行なうことができる。また、本システムにおいて一定期間内に売買が成立しなかった商品（未成立商品）については、オークションの対象からは除外されるものの、その情報が一定期間はサーバ装置１に登録される。そして、利用者は、この未成立商品を対象として検索を行なうことができる。
【００８５】
また、このオークションでは、従来に比べて、連続性の向上が図られている。その一例として、利用者が商品および条件群の登録を行なう際、これら商品や条件群の妥当性が自動的に判断され、妥当である場合のみ登録が行なわれる。また、オークションにて売買が成立した場合、利用者は、本システムを介して過去に所定回数以上売買を行なっている場合には、本システムの手数料について割り引きを受けることができる。
【００８６】
さらに、このオークションでは、従来に比べて、サポート性の向上が図られている。その一例として、利用者は、商品に入札を行なったにも関わらず落札できなかった場合、他の商品を購入するための代替情報の提供を受けることができる。
【００８７】
（システム構成―サーバ装置）
次に、このようなオークションを行うための本システムの構成について説明する。
まず、サーバ装置１について説明する。
図１においてサーバ装置１は、概略的に、利用者情報ＤＢ１０（ＤＢ＝データベース）、商品情報ＤＢ１１、商品履歴情報ＤＢ１２、互換情報ＤＢ１３、機能情報ＤＢ１４、オークション情報ＤＢ１５、オークション履歴情報ＤＢ１６、Ｗｅｂページ情報ＤＢ１７、通信制御ＩＦ１８（ＩＦ＝インターフェース）、および、制御部１９を備えて構成されており、これら各部はバス等の通信路を介して通信可能に接続されている。さらに、このサーバ装置１は、ルータ等の図示しない通信装置および専用線を介して、インターネット３に通信可能に接続されている。
【００８８】
このサーバ装置１の構成要素のうち、利用者情報ＤＢ１０は、本システムの利用者に関する情報（利用者情報）を登録する利用者情報登録手段である。この利用者情報は、例えば、図２に示すように、各利用者を一意に識別するための利用者ＩＤ、各利用者の本人認証を行なうためのパスワード、各利用者の氏名または名称、各利用者の住所または居所、各利用者の電子メールアドレス等、を相互に関連付けて構成される。
【００８９】
また、商品情報ＤＢ１１は、各利用者から登録された商品に関する情報や、その商品の売買条件に関する情報（商品情報）を登録する商品情報登録手段である。この商品情報は、例えば、図３に示すように、各商品を一意に識別するための商品ＩＤ、各商品を特定するための情報（ここでは、各商品固有の型番）、各商品を登録した利用者の利用者ＩＤ、各商品の条件群を一意に識別するための条件群ＩＤ、各条件群の内容、オークション期間、および、販売用オークションと購入用オークションを区別するための情報（オークション区別情報）、を相互に関連付けて構成される。
【００９０】
ここで、条件群とは、各商品をオークションするための複数の条件（オークション条件）を含んで構成される条件グループであり、ここでは、「売買数量」のオークション条件と、「最低落札価格（販売用オークション時）」または「最高落札価格（購入用オークション時）」のオークション条件とを含んで構成されている。例えば、図３において、商品ＩＤ「ＳＩＤ０００１」の商品に対しては、「売買数量＝１、０００個」と「最低落札価格＝１０万円（単価＝１００円）」とから構成される条件群（条件群ＩＤ＝ＪＩＤ−ＳＩＤ０００１−１）と、「売買数量＝１０、０００個」と「最低落札価格＝９０万円（単価＝９０円）」とから構成される条件群（条件群ＩＤ＝ＪＩＤ−ＳＩＤ０００１−２）とが登録されている。これによって、１つの商品に対して複数の異なる条件を設定することができる。
【００９１】
また、商品履歴情報ＤＢ１２は、未成立商品の商品情報（商品履歴情報）を登録する商品履歴情報登録手段である。この商品履歴情報は上述の商品情報と同様に構成することができ、例えば、未成立商品についての、商品ＩＤ、利用者ＩＤ、型番、条件群ＩＤ、条件群の内容、および、オークション区別情報、を相互に関連付けて構成される。
【００９２】
また、互換情報ＤＢ１３は、各商品の互換性に関する情報（互換情報）を登録する互換情報登録手段である。この互換情報は、例えば、図４に示すように、各商品の型番、各商品に対する上位商品の型番、各商品に対する下位商品の型番、を相互に関連付けて構成される。
【００９３】
また、機能情報ＤＢ１４は、各商品の機能に関する情報（機能情報）を登録する機能情報登録手段である。この機能情報は、例えば、図５に示すように、各商品の型番と、各商品の代表的な機能項目毎の機能内容（例えば、商品で電子部品である場合、図５に示すように、温度範囲、スイッチング特性、電源電圧等の各値）、を相互に関連付けて構成される。
【００９４】
また、オークション情報ＤＢ１５は、現在行なわれている販売用オークションまたは購入用オークションを管理等するための情報（オークション情報）を登録するオークション情報登録手段である。このオークション情報は、例えば、図６に示すように、オークションに出品されている各商品の商品ＩＤ、各商品の条件群の条件群ＩＤ、各条件群に対する入札価格、各入札価格を提示した利用者の利用者ＩＤ、および、オークション区別情報、を相互に関連付けて構成される。例えば、図６において、商品ＩＤ＝ＳＩＤ０００１の商品に関しては、条件群ＩＤ＝ＪＩＤ−ＳＩＤ０００１−１の条件群に対しては３つの入札が行なわれ、条件群ＩＤ＝ＪＩＤ−ＳＩＤ０００１−２の条件群に対しは２つの入札が行なわれている。
【００９５】
また、オークション履歴情報ＤＢ１６は、過去に行なわれた販売用オークションまたは購入用オークションにおける売買の結果やその過程に関する履歴（オークション履歴情報）を登録するオークション履歴情報登録手段である。このオークション履歴情報は、例えば、図７に示すように、各商品の商品ＩＤ、型番、各条件群ＩＤ、各条件群の内容、各条件群に対するオークション期間内の入札数、各商品の開札結果（売買成立または売買不成立のいずれか）、売買成立時の落札価格、オークション期間の開始から落札価格が提示されるまでに要した期間、および、オークション区別情報、を相互に関連付けて構成される。
【００９６】
また、Ｗｅｂページ情報ＤＢ１７には、クライアント装置２に対して送信される各種のＷｅｂページデータが登録されている。このＷｅｂページデータとしては、例えば、利用者が商品情報を登録するための商品情報登録画面や、購入者が商品検索を行なうための商品検索画面を表示するためのＷｅｂページデータがある。このＷｅｂページデータは、例えば、ＨＴＭＬ(Hyper Text Markup Language)やＸＭＬ(Extensible Markup Language)等の任意の言語にて記述され登録されている。なお、Ｗｅｂページ情報ＤＢ１７に登録されるデータ内容については図示を省略する。
また、サーバ装置１の通信制御ＩＦ１８は、当該サーバ装置１とインターネット３（またはルータ等の通信装置）との間における通信制御を行う。
【００９７】
次に、制御部１９について説明する。この制御部１９は、サーバ装置１の各部を制御するもので、利用者情報処理部１９ａ、商品情報登録処理部１９ｂ、商品情報閲覧処理部１９ｃ、商品検索処理部１９ｄ、入札処理部１９ｅ、および、開札処理部１９ｆを備えて構成されている。ここでは、これら各部の機能を概説するに留め、各部にて行なわれる処理の詳細は後述する。
【００９８】
このうち、利用者情報処理部１９ａは、利用者情報を登録するための処理（利用者情報登録処理）を行なう利用者情報処理手段であり、商品情報登録処理部１９ｂは、商品情報を登録するための処理（商品情報登録処理）を行なう商品情報登録処理手段である。また、商品情報閲覧処理部１９ｃは、商品に関する情報を閲覧するための処理（商品情報閲覧処理）を行なう商品情報閲覧処理手段であり、商品検索処理部１９ｄは、商品の検索を行なうための処理（商品検索処理）を行なう商品検索処理手段である。また、入札処理部１９ｅは、入札に関する情報を登録等するための処理（入札処理）を行なう入札処理手段であり、開札処理部１９ｆは、開札を行なうための処理（開札処理）を行なう開札処理手段である。
【００９９】
さて、これまでにサーバ装置１の構成について説明したが、図示の各構成要素は機能概念的なものであり、必ずしも物理的に図示の如く構成されていることを要しない。
例えば、サーバ装置１が備える制御機能のうち、全部または任意の一部は、ＣＰＵ(Central Processing Unit)および当該ＣＰＵにて解釈実行されるプログラムにて実現することができ、あるいは、ワイヤードロジックによるハードウェアとして実現することも可能である。
【０１００】
さらに、サーバ装置１の分散・結合の具合的形態は図示のものに限られず、その全部または一部を、各種の負荷等に応じた任意の単位で、機能的または物理的に分散・結合して構成することができる。例えば、商品情報ＤＢ１１と機能情報ＤＢ１４とを一つのデータベースとして結合したり、販売用オークションの情報と購入用オークションの情報を別個のＤＢに分離して管理することも可能である。この場合には、オークションを区別するための情報を省略することができる。あるいは、サーバ装置１の各ＤＢを、データベースサーバとして独立させ集中管理してもよい。なお、実際のサーバ装置１の構成機能としては、さらにファイアウォールサーバやＤＮＳ（Domain Name System）サーバの機能を付加することができるが、これらについては従来と同様に構成することができるためにその説明を省略する。
【０１０１】
（システム構成−クライアント装置）
次に、クライアント装置２の構成について説明する。
このクライアント装置２は、図１に示すように、概略的には、制御部２０、ＲＡＭ２１、ＨＤ２２、入力装置２３、出力装置２４、入出力制御ＩＦ２５、および、通信制御ＩＦ２６を備えて構成されており、これら各部がバス等にてデータ通信可能に接続されている。このクライアント装置２は、具体的には、パーソナルコンピュータ、ＩＳＴＶ(Integrated Services TV)、家庭用ゲーム機、あるいは、携帯電話やＰＨＳ(Personal Handy Phone)等の移動体通信端末として構成することができる。
【０１０２】
このうち、制御部２０は、当該クライアント装置２の各部を制御するもので、Ｗｅｂブラウザ２０ａを備えて構成されている。このＷｅｂブラウザ２０ａは、入力されたＵＲＬに基づいて、インターネット３を介してサーバ装置１に対するデータ送信の要求を行ない、サーバ装置１から送信されたデータを解釈して、出力装置２４にＷｅｂページを表示させる表示制御処理を行うプログラムである。また、制御部２０には、Ｗｅｂブラウザ２０ａから必要に応じて呼び出されて、各種の演算処理や出力制御等を行なうためのプラグインソフトを含めることができる。
【０１０３】
このように構成される制御部２０は、その全部または任意の一部を、ＣＰＵおよび当該ＣＰＵにて解釈実行されるプログラムにて実現することができる。すなわち、ＨＤ２２には、ＯＳと協動してＣＰＵに命令を与え、各種処理を行うためのコンピュータプログラムが格納されている。このコンピュータプログラムは、ＲＡＭ２１にロードされることによって実行され、ＣＰＵと協動して制御部２０を構成する。しかしながら、このコンピュータプログラムは、クライアント装置２に対して任意のネットワークを介して接続された任意のサーバ装置１に格納されてもよく、必要に応じてその全部または一部をダウンロードすることも可能である。あるいは、制御部２０の全部または任意の一部を、ワイヤードロジック等によるハードウェアとして実現することも可能である。
【０１０４】
また、図１において、入力装置２３としては、キーボード、マウス、および、マイク等を用いることができる。また、後述するモニタも、マウスと協働してポインティングディバイス機能を実現する。この他、クライアント装置２が家庭用ゲーム機として実現された場合の入力装置２３としては、キーボードやマウスに代えて、ゲーム機用のコントローラを用いることができる。
また、出力装置２４としては、モニタ（家庭用テレビを含む）の他、スピーカを用いることができる（なお、以下必要に応じて、出力装置２４をモニタ２４として記載する）。これら入力装置２３および出力装置２４は、入出力制御ＩＦ２５を介して制御部２０等に接続される。
【０１０５】
このように構成されたクライアント装置２は、通信制御ＩＦ２６を介してインターネット３に接続されており、所定の通信規約（例えば、ＴＣＰ／ＩＰ(transport control protocol/internet protocol)に従ってサーバ装置１にアクセスすることができる。
【０１０６】
（オークション処理）
次に、このように構成された本システムにおけるオークション処理について説明する。このオークション処理においては、利用者情報登録処理と、販売用オークションまたは購入用オークションについての、商品情報登録処理、商品情報閲覧処理、商品検索処理、入札処理、または、開札処理とが行なわれる。これら各処理は、全ての処理が終了するまで任意に選択され、繰り返して行なわれる。
【０１０７】
これら各処理のうち、開札処理については本システムにて自動的に行なわれ、他の処理については、所定のトップページを起点として、利用者の選択内容に応じて行なわれる。ただし、各処理の開始条件は任意に変更することができ、例えば、商品情報閲覧処理が終了した場合には入札処理が自動的に開始されるようにしてもよい。
【０１０８】
（トップページ）
このトップページを表示するため、利用者は、クライアント装置２のブラウザにおいて、ダイヤルアップ接続や専用線接続等によってインターネット３に接続した後、本システムのトップページに対応する所定のＵＲＬを入力する。すると、このＵＲＬに基づく公知のルーティングによってサーバ装置１に対するトップページの送信要求が行われる。
サーバ装置１では、クライアント装置２からの送信の要求の有無が監視されており、送信要求を受けると、この送信要求の内容が制御部１９にて解析され、その結果に応じて制御部１９内の各部に処理が移される（この点は以下の処理において同様であるため、その説明を省略する）。
【０１０９】
この送信の内容がトップページの送信要求である場合には、制御部１９の制御下において、Ｗｅｂページ情報ＤＢ１７からトップページを表示するためのＷｅｂページデータが取得され、このＷｅｂページデータが通信制御ＩＦ１８を介してクライアント装置２に送信される。なお、サーバ装置１からクライアント装置２へデータ送信を行う際のクライアント装置２の特定は、クライアント装置２から送信要求と共に送信されたＩＰアドレスを用いて行うことができる（以下、サーバ装置１からクライアント装置２へデータ送信を行う際には、同様の方法によってクライアント装置２を特定するものとし、その説明を省略する）。
【０１１０】
クライアント装置２では、サーバ装置１からのＷｅｂページデータが通信ＩＦおよび送受信部を介して受信され、Ｗｅｂブラウザ２０ａにて解釈されて、モニタ２４にトップページが表示される（以下、Ｗｅｂページデータの受信〜表示については同様の方法によって行うものとし、その説明を省略する）。このトップページは、利用するサービスを利用者に選択してもらうための画面であり、例えば、図１４に示すように、「利用者の登録」を選択するための選択ボタンＢ１４−１、販売用オークションについての、「商品情報の登録」、「商品情報の閲覧」、「商品の検索」、または、「入札」を選択するための選択ボタンＢ１４−２、購入用オークションについての、「商品情報の登録」、「商品情報の閲覧」、「商品の検索」、または、「入札」を選択するための選択ボタンＢ１４−３が表示される。
【０１１１】
これら選択ボタンのいずれかが入力装置２３を介して選択されると、要求内容を特定するための識別子が所定のＵＲＬに付加されてサーバ装置１に送信される。この識別子は、サーバ装置１の通信制御ＩＦ１８を介して受信され、制御部１９にて識別子が解析されることによって、クライアント装置２からの要求の内容が解析される（以下、クライアント装置２からサーバ装置１へデータ送信を行う際には、同様の方法によって送信内容を特定するものとし、その説明を省略する）。
【０１１２】
（利用者情報登録処理）
トップページを介して行われた要求の内容が「利用者の登録」である場合には、利用者情報処理部１９ａの制御下において、利用者情報登録処理が行われる。この処理では、まず、登録用画面を表示するためのＷｅｂページデータがＷｅｂページ情報ＤＢ１７から取得されてクライアント装置２に送信され、モニタ２４に表示される（以下、Ｗｅｂページデータの取得および送信における基本的処理に行なわれるものとし、その説明を省略する）。そして、この登録用画面に、利用者が自己の「氏名または名称」、「住所または居所」、および、「電子メールアドレス」等の利用者情報を入力して送信すると、入力された情報がサーバ装置１に送信される。
【０１１３】
サーバ装置１の利用者情報処理部１９ａは、このように利用者情報が入力されると、利用者ＩＤおよびパスワードを任意の方法（例えば、ランダム生成）にて発行し、これら利用者ＩＤおよびパスワードを通知するＷｅｂ画面のデータを生成して、このデータをクライアント装置２に送信する。このようなＷｅｂ画面のデータの生成は、例えば、ＣＧＩ(Common Gateway Interface)を用いて動的に行うことができる。
そして、このＷｅｂ画面がクライント装置のモニタ２４に表示され、これによって各利用者は、自己のＩＤおよびパスワードを知ることができる。また、サーバ装置１は、このように発行した利用者ＩＤおよびパスワードと、先にクライアント装置２から送信された利用者情報とを相互に関連付けて、利用者情報ＤＢ１０に登録する。これにて利用者情報登録処理が終了する。
【０１１４】
（販売用オークション時の処理）
以下、まず、販売用オークション時の各処理を説明する。この各処理において、商品情報、商品履歴情報、オークション情報あるいは、オークション履歴情報を参照する場合、販売用オークションの情報であることを示すオークション区別情報に関連付けられている情報のみが参照対象となる。
【０１１５】
（商品情報登録処理）
まず、販売者が、トップページにおいて、販売用オークションについての「商品情報の登録」を選択した場合について説明する。この場合、商品情報登録処理部１９ｂの制御下において、商品情報登録処理が行われる。この処理のフローチャートを図８、９に示す。この処理では、まず、図示しないログオン画面がクライアント装置２のモニタ２４に表示される（ステップＳ８−１〜Ｓ８−３）。そして、販売者が、ログオン画面に利用者ＩＤおよびパスワードを入力して送信すると（ステップＳ８−４、Ｓ８−５）、これらの情報を利用者情報ＤＢ１０に登録されている利用者ＩＤおよびパスワードと比較することで利用者認証が行なわれる（ステップＳ８−６、Ｓ８−７。以下、商品情報閲覧処理、商品検索処理、および、入札処理においても同様にログオン画面表示〜認証が行なわれるものとし、その説明を省略する）。
【０１１６】
そして、販売者が正当な利用者として認証された場合にのみ、商品情報登録画面がモニタ２４に表示される（ステップＳ８−８〜Ｓ８−１０）。この商品情報登録画面は、商品情報を登録するための画面であり、例えば、図１５に示すように、「商品の型番」を入力するための入力枠Ｆ１５−１、複数の条件群の内容（「売買数量」、「最低落札価格」）を入力するための複数の入力枠Ｆ１５−２、および、送信を指示するための送信ボタンＢ１５−１を含んで構成されている。そして、販売者がこれら入力枠Ｆ１５−１、Ｆ１５−２に必要な情報を入力して送信ボタンを押すと、これらの情報がサーバ装置１に送信される（ステップＳ８−１１〜Ｓ８−１３）。
【０１１７】
その後、サーバ装置１の商品情報登録処理部１９ｂは、これらの情報の妥当性等を検討する。
具体的には、まず、商品の需要度を検討する（Ｓ８−１４）。このため、オークション履歴情報ＤＢ１６に登録されているオークション履歴情報を参照し、クライアント装置２から送信された商品の型番と同じ型番を持つ過去の商品に対する開札結果を呼び出す。
そして、この開札結果として売買不成立のみが登録されている場合には、その商品の需要度が低く、オークションに出品することが妥当でない（売買が再び不成立になり、オークションが無駄になる可能性が高い）と判断し、出品不可の旨を示す画面をモニタ２４に表示させる（ステップＳ８−１５〜Ｓ８−１７）。
一方、開札結果として売買成立が登録されている場合には、その商品の需要度が高く、オークションに出品することが妥当である（売買が再び成立する可能性がある）と判断し、次の処理に移行する。
【０１１８】
ただし、この需要度の判断は、その他の基準で行なうこともできる。例えば、同一商品が過去にオークションされた際の入札総数や、同一商品が過去にオークションされた際における商品情報閲覧画面の閲覧総数を、オークション履歴情報ＤＢ１６に登録しておき、これら入札総数や閲覧総数が所定数以上の場合には、利用者の関心が高いと考えられるので、商品の需要度が高いと判断してもよい。また、売買成立の可否は最低落札価格の高低とも関連があることから、同一商品が過去にオークションされた際の最低落札価格を参照し、今回の商品の最低落札価格との差異を考慮して、需要度を調整することもできる。
【０１１９】
このような処理により、商品の需要度が高いと判断された場合には、最低落札価格の妥当性を検討する（ステップＳ８−１８）。このため、オークション履歴情報ＤＢ１６を参照し、クライアント装置２から送信された商品の型番と同じ型番を持つ過去の商品に対する落札価格を呼び出す。
そして、この落札価格に対して、今回の商品の最低落札価格が所定価格以上高く設定されている場合には、今回の最低落札価格が妥当でない（最低落札価格が高すぎるために売買が不成立になり、オークションが無駄になる可能性が高い）と判断し、出品不可の旨を示す画面をモニタ２４に表示させる（ステップＳ８−１５〜Ｓ８−１７）。
一方、過去の落札価格に対して、今回の最低落札価格が所定価格以上高く設定されていない場合には、今回の最低落札価格が妥当であると判断し、次の処理に移行する。
【０１２０】
次の処理では、今回の商品に対するオークション期間を算出する（ステップＳ８−１９）。このオークション期間としては、各商品が妥当な価格で落札される得る期間であって、最も短い期間が設定される。このため、オークション履歴情報ＤＢ１６を参照し、商品の型番と同じ型番を持つ過去の商品についての、オークション期間の開始から落札価格が提示されるまでに要した期間を呼び出す。そして、この期間をオークション期間とする。
【０１２１】
ただし、オークション期間は、商品の需要度が高い程短くてよい（短期の間に落札される）と考えられることから、上述の需要度の検討結果を考慮して、オークション期間を調整することもできる。なお、オークション期間の開始日は、商品情報の登録直後に設定してもよく、または、サーバ装置１の処理負荷を考慮して、同時継続するオークション数が常時一定数以下になるように設定してもよく、あるいは、本システムの管理者等が任意に設定してもよい。
【０１２２】
その後、販売者にオークション条件の最終承認を促すため、ステップＳ８−１８において妥当であると判断された「最低落札価格」、および、ステップＳ８−１９にて算出された「オークション期間」をモニタ２４に表示させる（ステップＳ８−２０、Ｓ８−１６、Ｓ８−１７）。そして、販売者が最終承認するか否かを所定の方法で入力すると、この結果がサーバ装置１に送信される（ステップＳ８−２１〜Ｓ８−２３）。
【０１２３】
ここで、ステップＳ８−２１において販売者が最終承認を行わなかった場合には、オークション条件の再入力や修正を行なわせる（ステップＳ８−１０）。また、最終承認を行なった場合には、所定の方法で、商品に対して商品ＩＤを付与すると共に、各条件群に対して条件群ＩＤを付与し（ステップＳ８−２４）、これら商品ＩＤと条件群ＩＤ、および、当該利用者の利用者ＩＤ、最終承認された商品の型番、最低落札価格、および、オークション期間を、商品情報ＤＢ１１に登録する（ステップＳ８−２５）。また、販売者のモニタ２４には、商品ＩＤと条件群ＩＤを通知するための画面を表示させる（ステップＳ８−２６〜Ｓ８−２８）。これにて商品情報登録処理が終了する。
【０１２４】
なお、オークションの開設当初のように、オークション履歴情報ＤＢ１６に登録されているオークション履歴情報が少ないために、需要度、最低落札価格の妥当性、あるいは、オークション期間の検討を行なうことができない場合には、これらの検討の全部または一部を省略することもでき、あるいは、本システムの管理者等が人為的に検討することもできる。
【０１２５】
（商品情報閲覧処理）
次に、購入者が商品を閲覧するため、トップページにおいて販売用オークションの「商品情報の閲覧」を選択した場合について説明する。この場合には、商品情報閲覧処理部１９ｃの制御下において、商品情報閲覧処理が行われる。この処理のフローチャートを図１０に示す。この処理では、ログオン処理後、商品情報閲覧画面がモニタ２４に表示される。
【０１２６】
この商品情報閲覧画面は、商品情報登録処理において登録された商品のうち、オークション期間が開始している商品についての情報を購入者等に閲覧させるための画面である。この画面は、例えば、図１６に示すように、商品ＩＤ、型番、オークション期間、条件群ＩＤ、各条件群の内容（「売買数量」、「最低落札価格」）、各条件群に対して現在提示されている最高の入札価格、この最高の入札価格を入札した購入者の利用者ＩＤ、を含んで構成されている。
【０１２７】
このような商品情報閲覧画面をモニタ２４に表示するため、商品情報閲覧処理部１９ｃは、必要な情報を商品情報ＤＢ１１およびオークション情報ＤＢ１５から呼び出すと共に、商品情報閲覧画面のベースとなるＷｅｂページデータをＷｅｂページ情報ＤＢ１７から呼び出す。そして、Ｗｅｂページデータに必要な情報を付加することによって、商品情報閲覧画面のＷｅｂページデータを生成し、クライアント装置２に送信する（ステップＳ１０−１）。この結果、商品情報閲覧画面がモニタ２４に表示され（ステップＳ１０−２、Ｓ１０−３）、これにて商品情報閲覧処理が終了する。このような処理により、購入者は、上述の商品情報閲覧画面によって各商品に関する情報を閲覧することができ、入札を行うか否かを判断することができる。
【０１２８】
（商品検索処理）
ここで、商品情報閲覧画面に表示されている商品が多い場合、購入者は、自己の購入したい商品を探し出すことが困難になる。このため、購入者は、トップページにおいて販売用オークションのための「商品の検索」を選択することにより、商品検索処理の開始を指示することができる。この処理のフローチャートを図１１に示す。
【０１２９】
この商品検索処理は、商品検索処理部１９ｄの制御下において行なわれるもので、まず、商品の検索画面をモニタ２４に表示させる（ステップＳ１１−１〜Ｓ１１−３）。この検索画面は、検索したい商品を特定するための情報、検索方法、検索対象となるデータ、を購入者に特定してもらうための画面である。例えば、この検索画面は、図１７に示すように、検索したい商品の型番を入力するための入力枠Ｆ１７−１と、「同一検索」、「上位検索」、「下位検索」、または、「機能検索」のいずれか一つの検索方法を選択するための選択ボタン群Ｂ１７−１と、「現在の商品」または「未成立商品」のいずれか一つの検索対象を選択するための選択ボタン群Ｂ１７−２と、送信ボタンＢ１７−３を含んで構成されている。
【０１３０】
そして、購入者が必要な情報を入力して送信ボタンを押すと、入力された情報がサーバ装置１に送信され（ステップＳ１１−４、Ｓ１１−５）、その入力内容に基づいて検索が行なわれる（ステップＳ１１−６、Ｓ１１−７）。
ただし、「機能検索」が選択された場合には、さらに各機能項目毎の機能内容を購入者に特定してもらうための画面がモニタ２４に表示され、購入者が必要な情報を入力して送信した後、その情報に基づいて検索が行なわれる。
【０１３１】
ここで、検索方法として「同一検索」が選択された場合には上述した同一検索が行なわれ、また同様に、「上位検索」、「下位検索」、または、「機能検索」が選択された場合には、それぞれ上位検索、下位検索、機能検索が行なわれる。また、検索対象として「現在の商品」が選択された場合には、オークションに現在出品されている商品（その時点でオークション情報ＤＢ１５に商品ＩＤが登録されている商品）のみを対象として、検索が行なわれる。また、検索対象として「未成立商品」が選択された場合には、未成立商品（その時点で商品履歴情報ＤＢ１２に商品ＩＤが登録されている商品）のみを対象として、検索が行なわれる。
【０１３２】
例えば、検索方法として「同一検索」が選択され、検索対象として「現在の商品」が選択された場合、商品検索処理部１９ｄは、オークション情報ＤＢ１５に登録されている商品ＩＤを呼び出し、この商品ＩＤに基づいて商品情報ＤＢ１１を参照して、現在オークションに出品されている商品の型番を呼び出す。そして、この型番と、購入者が入力した商品の型番とを相互にマッチングする。この結果、一致する型番があった場合には、当該型番を持つ商品の商品ＩＤを商品情報ＤＢ１１から呼び出し、これを検索結果とする。
【０１３３】
また、検索方法として「同一検索」が選択され、検索対象として「未成立商品」が選択された場合、商品検索処理部１９ｄは、商品履歴情報ＤＢ１２に登録されている商品（未成立商品）の型番を呼び出し、この型番と、購入者が入力した商品の型番とを相互にマッチングする。この結果、一致する型番があった場合には、当該型番を持つ商品の商品ＩＤを商品履歴情報ＤＢ１２から呼び出し、これを検索結果とする。
【０１３４】
あるいは、検索方法として「上位検索」や「下位検索」が選択され、検索対象として「現在の商品」が選択された場合、商品検索処理部１９ｄは、上記と同様に、オークション情報ＤＢ１５に登録されている商品ＩＤを呼び出し、この商品ＩＤに基づいて商品情報ＤＢ１１を参照して、現在オークションに出品されている商品の型番を呼び出す。また、商品検索処理部１９ｄは、同時に、購入者が入力した商品の型番に基づいて互換情報ＤＢ１３を参照し、この型番に関連付けて登録されている上位商品または下位商品の型番を呼び出す。そして、互換情報ＤＢ１３から呼び出した型番と、商品情報ＤＢ１１から呼び出した型番とを相互にマッチングする。この場合にも、一致する型番があった場合には、当該型番を持つ商品の商品ＩＤを商品情報ＤＢ１１から呼び出し、これを検索結果とする。
【０１３５】
あるいは、検索方法として「機能検索」が選択され、検索対象として「現在の商品」が選択された場合、商品検索処理部１９ｄは、上記と同様に、オークション情報ＤＢ１５に登録されている商品ＩＤを呼び出し、この商品ＩＤに基づいて商品情報ＤＢ１１を参照して、現在オークションに出品されている商品の型番を呼び出す。そして、この型番に基づいて機能情報ＤＢ１４を参照して、現在オークションに出品されている商品の機能の項目とその内容を呼び出す。また、商品検索処理部１９ｄは、同時に、購入者が入力した商品の型番に基づいて機能情報ＤＢ１４を参照し、この型番に関連付けて登録されている機能の項目とその内容を呼び出す。そして、これら両機能の各項目毎の内容を相互にマッチングする。この結果、一致する機能があった場合には、当該機能を持つ商品の商品ＩＤを機能情報ＤＢ１４および商品情報ＤＢ１１から呼び出し、これを検索結果とする。
【０１３６】
この他、「機能検索」においては、検索したい商品の機能を購入者に特定してもらい、この機能と、機能情報ＤＢ１４に格納された機能とをマッチングしてもよい。この場合には、型番が解らない場合であっても、機能に基づいて商品を検索することができる。また、この場合には、商品の機能のうち、優先される機能を購入者に特定してもらい、少なくともこの優先される機能が一致する商品を検索できるようにしてもよい。
【０１３７】
このように各検索が行なわれた後、その検索結果を購入者に知らせるための検索結果画面がモニタ２４に表示される（ステップＳ１１−８〜Ｓ１１−１０）。この画面構成は任意であるが、例えば、商品が１つも検索されなかった場合には、その旨をモニタ２４に表示する。この場合、各利用者は、ステップＳに戻って、検索条件を修正して、再検索を行なうこと等ができる（ステップＳ１１−１１〜Ｓ１１−１３、Ｓ１１−１）。
【０１３８】
あるいは、例えば、「現在の商品」を対象とする検索を行なった結果、１つ以上の商品の商品ＩＤが検索された場合、検索結果画面には、この「商品ＩＤ」が表示されると共に、この表示に、当該商品ＩＤに対応する「商品情報閲覧画面の該当箇所」のハイパーリンクが貼られる。この検索結果画面の一例を図１８に示す。したがって、購入者は、この商品ＩＤを入力装置２３を介して選択することにより、商品情報閲覧画面の該当箇所を閲覧することができ、入札を行うか否かを判断することができる。
【０１３９】
また、例えば、「未成立商品」を対象とする検索が行なわれた結果、１つ以上の商品の商品ＩＤが検索された場合、検索結果画面には、この「商品ＩＤ」と、この商品ＩＤに基づいて商品履歴情報ＤＢ１２から呼び出された「型番」、および、「条件群の内容」が表示される。この検索結果画面の一例を図１９に示す。この場合、未成立商品のオークションは既に終了しているので、購入者は入札を行なうことはできないが、この未成立商品を出品した販売者に対して問い合わせを行なうことができる。例えば、図１９に示すように、上記の検索結果に加えて、販売者に対して問い合わせを行なう旨を指示する問い合わせボタンＢ１９−１を表示し、この問い合わせボタンＢ１９−１が購入者によって選択された場合には、販売者に対して問い合わせを行なうための電子メールが送信される（ステップＳ１１−１４、Ｓ１１−１５）。
【０１４０】
この際、販売者の電子メールアドレスは、商品履歴情報ＤＢ１２から呼び出された「利用者ＩＤ」に基づいて利用者情報ＤＢ１０を参照することによって取得される。また、電子メールの内容には、未成立商品が未だ存在しているか否か（未成立商品を販売できるか否か）を問い合わせる旨の所定のメッセージ、商品履歴情報ＤＢ１２から呼び出された当該未成立商品の「型番」、問い合わせを指示した購入者の電子メールアドレス（利用者情報ＤＢ１０から取得される）、を含めることができる。そして、この電子メールを受け取った販売者は、自己の在庫を確認し、その結果を購入者に対して電子メール等にて送信する。以降、両者にて交渉を行ない、売買契約等を締結することができる。あるいは、販売者と購入者の間に本システムを介在させて交渉を行なうようにしてもよい。
このように検索結果の表示や、未成立商品の電子メール送信を行なうことにより、商品検索処理が終了する。
【０１４１】
（入札処理）
次に、購入者が、トップページにおいて販売用オークションのための「入札」を選択した場合について説明する。この場合には、入札処理部１９ｅの制御下において、入札処理が行われる。この処理のフローチャートを図１２に示す。この処理では、まず、商品情報登録処理と同様にログオン処理が行なわれ、購入者が正当な利用者として認証された場合にのみ、入札画面がモニタ２４に表示される（ステップＳ１２−１〜Ｓ１２−３）。
【０１４２】
この入札画面は、少なくとも、入札を行なう商品、入札を行なう条件群、および、入札価格を入力するための画面である。例えば、入札画面は、図２０に示すように、商品ＩＤを入力する入力枠Ｆ２０−１、条件群ＩＤを入力する入力枠Ｆ２０−２、入札価格を入力する入力枠Ｆ２０−３、および、送信を指示する送信ボタンＢ２０−１を含んで構成される。
【０１４３】
そして、購入者が、必要な情報を入力して送信ボタンを選択すると、入力された情報がサーバ装置１に送信される（ステップＳ１２−４〜Ｓ１２−６）。すると、サーバ装置１の入札処理部１９ｅは、送信された商品ＩＤと条件群ＩＤとに基づいて商品情報ＤＢ１１およびオークション情報ＤＢ１５を参照し、入札対象となる商品の最低落札価格を呼び出す。そして、これら最低落札価格と、送信された入札価格とを比較する（ステップＳ１２−７）。そして、送信された入札価格の方が安い場合には、入札が無効であると判断して、エラー画面をモニタ２４に表示させる（ステップＳ１２−８〜Ｓ１２−１０）。
【０１４４】
一方、送信された入札価格の方が高い場合には、この入札が有効であると判断し、この送信された入札価格と、この入札価格を提示した購入者の利用者ＩＤとをオークション情報ＤＢ１５に登録する（ステップＳ１２−１１）。また、入札が完了した旨を示す入札官僚画面をモニタ２４に表示させる（ステップＳ１２−１２）。これにて入札処理が終了する。このようにして、購入者は、入札を行なうことができる。
【０１４５】
（開札処理）
このように更新されたオークション情報ＤＢ１５の内容は、開札処理部１９ｆによって定期的に監視されており、オークション期間が経過した時点で、開札処理部１９ｆの制御下において開札処理が行なわれる。この処理のフローチャートを図１３に示す。この処理では、オークション情報ＤＢ１５を参照して、オークション期間が終了した時点において、１つ以上の入札が行なわれているか否かが判断される（ステップＳ１３−１）。
【０１４６】
そして、入札が行なわれていない場合には、この商品の商品情報が商品情報ＤＢ１１から呼び出され、商品履歴情報として商品履歴情報ＤＢ１２に登録される（ステップＳ１３−２）。また、この商品のオークションに関するオークション情報がオークション情報ＤＢ１５から呼び出され、オークション履歴情報としてオークション履歴情報ＤＢ１６に登録される（ステップＳ１３−３）。この時、開札結果としては「売買不成立」が登録され、落札価格は空白（例えば、NULL）となる。
【０１４７】
一方、ステップＳ１３−１において入札が行なわれていると判断できる場合には、オークション情報ＤＢ１５を参照して、落札者が決定される。具体的には、まず、この商品の複数の条件群に対して入札が行なわれているか否かが判断され（ステップＳ１３−４）、１つの条件群に対してのみ入札が行なわれている場合には、この条件群について最も高い入札価格を提示している購入者を選択し、この購入者を落札者として決定する（ステップＳ１３−５）。
【０１４８】
一方、複数の条件群に対して入札が行なわれている場合には、所定基準に基づいて落札者が決定される。この基準は任意であるが、例えば、販売者の利益（または販売額）が最も大きくなるように落札者が決定される（ステップＳ１３−６）。すなわち、ある商品について、「売買数量＝１、０００個」を含む条件群に対して入札価格１５万円を提示した購入者と、「売買数量＝１０、０００個」を含む条件群に対して入札価格９５万円を提示した購入者がいる場合には、後者の購入者が落札者として決定される。
【０１４９】
この他、販売者によって優先条件を予め入力してもらい、この優先条件を満たす購入者を落札者としてもよい。例えば、販売者が「商品単価の最も高い条件」を優先条件として挙げている場合、上記の例では、前者の購入者が落札者として決定される。
そして、このように落札者が決定された旨およびその入札価格（落札価格）を、落札された商品を出品した販売者、この商品に入札を行なった全ての購入者、および、落札者に対して、Ｗｅｂページ上または電子メールにて通知する（ステップＳ１３−８）。
【０１５０】
ここで、販売者や落札者に対して送信される電子メールには、本システムに対して売買仲介料として支払うべき手数料が明示される。この手数料の決定方法は任意であり、例えば、落札価格に対する所定割合の金額が手数料となる。
この手数料計算を行なう際、本システムにおいては、販売者と落札者のこれまでの本システムにおける取り引き実績を考慮して、手数料を自動的に割り引くための割り引き処理が行なわれる（ステップＳ１３−７）。具体的には、上述のように開札が行なわれた後、入札処理部１９ｅの制御下において、販売者の利用者ＩＤと落札者の利用者ＩＤに基づいてオークション履歴情報ＤＢ１６が参照され、これまでに売買が成立したオークションのうち、これら販売者や落札者が売買に関与したオークションの回数が取得される。
【０１５１】
そして、この回数が所定回数以上の場合には、上述の手数料に対して任意の方法で割り引きが行なわれる。この割り引きは、例えば、関与したオークション回数に応じた割引率を用いて行なわれてもよく、あるいは、所定額を一律に割り引いてもよい。また、本システムに対する取り引き実績でなく、販売者と購入者との相互間における取り引き実績に基づいて、割り引き処理を行うこともできる。あるいは、本システムの仲介手数料でなく、商品代金に対して割り引きを行なってもよい。このような割り引きを行なうことにより、利用者に本システムを繰り返し利用することのインセンティブが発生し、本システムの利用率が向上する。このような電子メールを受けて開札結果を知った販売者と落札者は、所定の方法で商品の納品と代金の清算を行ない、売買が終了する。
【０１５２】
また、ステップＳ１３−８において、入札を行なったにも関わらず落札者として選ばれなかった購入者に対しては、代替情報を含んだ電子メールが送信される。この代替情報とは、購入者が代わりの商品を探す際の参考となり得る情報である。具体的には、開札処理部１９ｆおよび商品検索処理部１９ｄの制御下において、落札できなかった商品に対して、現在の商品および未成立商品を対象として、同一検索、上位検索、下位検索、機能検索が行なわれる。そして、この検索結果を表示するための検索結果画面に含まれるものと同じ情報が、代替情報として電子メールに含められる。したがって、購入者は、この代替情報に基づいて、オークション中の互換商品に入札を行なったり、過去に同一商品や互換商品を出品したことのある販売者に対して問い合わせを行なうことができる。さらには、このよな販売者に対して、商品の購入を希望している購入者が存在する旨や、この購入者の希望する商品内容等を通知する電子メールを自動的に送信するようにしてもよい。
【０１５３】
このように電子メールが送信された後、売買が成立した商品のオークションに関するオークション情報がオークション情報ＤＢ１５から呼び出され、オークション履歴情報としてオークション履歴情報ＤＢ１６に登録される（ステップＳ１３−３）。この時、落札された条件群の開札結果としては「売買成立」が登録され、落札時の落札価格が登録される。これにて開札処理が終了する。
【０１５４】
（購入用オークション処理）
次に、購入用オークション時の各処理について説明する。この各処理において、商品情報、商品履歴情報、オークション情報あるいは、オークション履歴情報を参照する場合、購入用オークションの情報であることを示すオークション区別情報に関連付けられている情報のみが参照対象となる。
【０１５５】
ただし、購入用オークション時の各処理の具体的内容については、一部を除いて、上述の販売用オークション時の各処理の説明において、「販売用オークション」と「購入用オークション」、「購入者」と「販売者」、「購入」と「販売」、「最低落札価格」と「最高落札価格」、「最高」と「最低」、の言葉をそれぞれ相互に入れ替えることによって説明を行なうことができる。したがって、説明が重複することを回避するため、以下においては、補足すべき部分についてのみ説明を行なう。
【０１５６】
まず、商品情報登録処理において、購入者が商品情報を登録する際、最高落札価格の妥当性を検討するため、オークション履歴情報ＤＢ１６から過去の商品に対する落札価格を呼び出す。そして、この落札価格に対して、今回の商品の最高落札価格が所定価格以上低く設定されている場合には、今回の最高落札価格が妥当でない（最高落札価格が低すぎるために売買が不成立になり、オークションが無駄になる可能性が高い）と判断し、妥当でない旨と、妥当であると判断できる下限の最高落札価格（例えば、過去の落札価格の下限値）とを示す画面を販売者のモニタ２４に表示することにより、最高落札価格の再設定を促す。
一方、過去の落札価格に対して、今回の最高落札価格が所定価格以上低く設定されていない場合には、今回の最高落札価格が妥当であると判断し、次のオークション期間の検討に移行する。
【０１５７】
また、商品検索処理において、販売者が上位検索、下位検索、あるいは、機能検索を行なった結果、１つ以上の商品の商品ＩＤが検索された場合には、販売者の指示に応じて、購入者に対して問い合わせを行なうための電子メールが送信される。この電子メールの内容には、上位商品、下位商品、あるいは、同機能商品について購入する意思があるか否かを問い合わせる旨の所定のメッセージと、販売者の希望する条件群を含めることができる。そして、この電子メールを受け取った購入者は、自己の購入希望状況を検討し、その結果を販売者に対して電子メール等にて送信することができる。
【０１５８】
また、商品検索処理において、販売者が「未成立商品」を対象とする検索を行なった結果、１つ以上の商品の商品ＩＤが検索された場合には、販売者の指示に応じて、購入者に対して問い合わせを行なうための電子メールが送信される。この電子メールの内容には、未成立商品について未だ購入を希望しているか否かを問い合わせる旨の所定のメッセージ等を含めることができる。そして、この電子メールを受け取った購入者は、自己の購入希望状況を検討し、その結果を販売者に対して電子メール等にて送信することができる。
【０１５９】
さて、これまで本発明の一実施の形態について説明したが、本発明は、この実施の形態に示した内容に限定されることなく、上述の特許請求の範囲に記載した技術的思想の範囲内において種々異なる形態にて実施されてよいものである。
【０１６０】
例えば、上記実施の形態においては、条件群として、売買数量、最低落札価格または最高落札価格のみを示したが、他の任意の条件を含めることが可能である。例えば、倉庫等からの商品の引き取り時期、倉庫等への商品の納品時期、あるいは、商品に対する各種保険の要否に応じて、最低落札価格や最高落札価格を変えることができる。
【０１６１】
また、上記実施の形態においては、利用者の任意選択によって上位検索等が行なわれるものとして説明したが、同一検索の結果として得られた商品数が所定数以下の場合には、自動的に上位検索、下位検索、あるいは、機能検索を行なうようにしてもよい。
【０１６２】
また、サーバ装置１とクライアント装置２を相互に接続するネットワークとしては、上述したインターネット３以外にも任意のネットワークを利用することができる。例えば、限定されたエリア内でＬＡＮ、ＷＡＮあるいはパソコン通信網を用いて、実施の形態と同様のシステムを構築することができる。また、その他にも、地上波、ＣＡＴＶ、ＣＳ、ＢＳ、あるいは、ＩＳＤＢ（Integrated Services Digital Broadcasting)を用いて、同様にオークションのための各種データを送受信することができる。
【０１６３】
また、実施形態において説明した各処理のうち、自動的に行なわれるものとして説明した処理の全部または一部を手動的に行なうこともでき、あるいは、手動的に行なわれるものとして説明した処理の全部または一部を公知の方法で自動的に行なうこともできる。
この他、上記文書中や図面中で示した処理手順、制御手順、具体的名称、数値等については、特記する場合を除いて任意に変更することができる。
【０１６４】
【発明の効果】
以上に説明したように、請求項１、１０、又は、１９に記載の本発明によれば、１つの商品をオークションに出品する際に様々な条件を設定することができるので、大量に購入してくれる場合には商品単価を安く設定する等、販売者と購買者の双方にとって売買の戦略性や選択肢の幅が広がる。このため、販売者と購入者の需給バランスを一層スムーズに調整することができ、売買成約率を高めることができる。また、特定の条件群に縛られることなく（すなわち、特定の条件群に対して最高あるいは最低の入札価格を提示した者を単純に落札者として決定するのではなく）、各条件群を通じて売買単価が最高あるいは最低となる入札価格を提示した者を落札者として決定することができ、売買単価を最高あるいは最低にしようとする出品者の売買戦略を反映した売買取引を成立させることができる。あるいは、各条件群を通じて出品者の利益額が最高となる入札価格を提示した者を落札者として決定することができ、利益額を最高にしようとする出品者の売買戦略を反映した売買取引を成立させることができる。
【０１６５】
また、請求項２、１１、２０に記載の本発明によれば、単に検索対象と同一の商品のみでなく、上位機能または下位機能を有する商品が検索されるので、同一商品が見つからなかったような場合にも代替商品を利用者に対して迅速かつ容易に提示することができ、売買成約率を高めることができる。
【０１６６】
また、請求項３、１２、２１に記載の本発明によれば、検索対象となる商品と同等の機能を有する商品が、商品検索処理手段にて検索される。このように、検索対象と同等の機能を有する商品が検索されるので、同一商品が見つからなかったような場合にも代替商品を利用者に対して迅速かつ容易に提示することができ、売買成約率を高めることができる。なお、同等の機能を有する商品とは、完全に同一の機能を有する商品の他、利用者が許容できる程度の機能差を有する商品を含む意味である。
【０１６７】
また、請求項４、１３、２２に記載の本発明によれば、過去のオークションで売買が成立しなかった商品であって、販売者が未だに在庫として保有している商品や、購入者が未だに購入を希望しているような商品について検索を行なうことができ、売買の問い合わせ等を行なうことができる。したがって、より広範に商品の情報を提供することができ、売買成約率を高めることができる。
【０１６８】
また、請求項５、１４、２３に記載の本発明によれば、需要度の低い商品についてはオークションへの出品を取り止めたりすること等ができ、逆に、需要度の高い商品についてはオークションの目玉商品として取り扱うこと等ができ、売買成約率を一層高めることができる。
【０１６９】
また、請求項６、１５、２４に記載の本発明によれば、クライアントから提示された最低落札価格の妥当性が判断されるので、最低落札価格が妥当でない場合には事前に調整してからオークションに出品すること等ができ、売買成約率を一層高めることができる。
【０１７０】
また、請求項７、１６、２５に記載の本発明によれば、過去の売買によって蓄積された情報を活用して、オークション期間を最適なものに設定すること等ができ、オークション期間が短か過ぎて売買が成立しないことや、オークション期間が無駄に長くなり過ぎることを防止することができ、短い期間で最適な売買を行なうことができる。
【０１７１】
また、請求項８、１７、２６に記載の本発明によれば、例えば、本システムにおいて売買に関与した回数が所定数以上の場合には手数料を一定率で割り引く等することで、利用者に本システムを繰り返し利用することのインセンティブが発生し、本システムの利用率が向上する。
【０１７２】
また、請求項９、１８、２７に記載の本発明によれば、落札者として決定されなかった入札者が存在する場合には、この入札者に対して、商品検索処理手段による検索結果が自動的に送信される。したがって、商品を落札することのできなかった利用者は、この検索結果を見て、同一機能を有する他の商品や、上位または下位機能を有する他の商品等、代替となる商品を容易に見つけて新たな入札を行なうことができる。あるいは、利用者は、検索結果を見て、過去にオークションに出品されながら売買が成立しなかった商品を容易に見つけて、この商品の販売者等に取い合わせを行なうことができる。これらのことから、利用者に対して、商品を見つける機会を一層多く与えることができ、売買成約率を高めることができる。
【図面の簡単な説明】
【図１】本発明の実施の形態にかかるオークションシステム全体の構成図である。
【図２】利用者情報ＤＢに登録される利用者情報の構成例を示す図である。
【図３】商品情報ＤＢに登録される商品情報の構成例を示す図である。
【図４】互換情報ＤＢに登録される互換情報の構成例を示す図である。
【図５】機能情報ＤＢに登録される機能情報の構成例を示す図である。
【図６】オークション情報ＤＢに登録されるオークション情報の構成例を示す図である。
【図７】オークション履歴情報ＤＢに登録されるオークション履歴情報の構成例を示す図である。
【図８】商品情報登録処理のフローチャートである。
【図９】商品情報登録処理のフローチャートである。
【図１０】商品情報閲覧処理のフローチャートである。
【図１１】商品検索処理のフローチャートである。
【図１２】入札処理のフローチャートである。
【図１３】開札処理のフローチャートである。
【図１４】トップページの表示例を示す図である。
【図１５】商品情報登録画面の表示例を示す図である。
【図１６】商品情報閲覧画面の表示例を示す図である。
【図１７】検索画面の表示例を示す図である。
【図１８】検索結果画面の表示例を示す図である。
【図１９】検索結果画面の他の表示例を示す図である。
【図２０】入札画面の表示例を示す図である。
【符号の説明】
１  サーバ装置
１０  利用者情報ＤＢ
１１  商品情報ＤＢ
１２  商品履歴情報ＤＢ
１３  互換情報ＤＢ
１４  機能情報ＤＢ
１５  オークション情報ＤＢ
１６  オークション履歴情報ＤＢ
１７  Ｗｅｂページ情報ＤＢ
１８  通信制御ＩＦ
１９  制御部
１９ａ  利用者情報処理部
１９ｂ  商品情報登録処理部
１９ｃ  商品情報閲覧処理部
１９ｄ  商品検索処理部
１９ｅ  入札処理部
１９ｆ  開札処理部
２  クライアント装置
２０  制御部
２１  ＲＡＭ
２２  ＨＤ
２３  入力装置
２４  出力装置
２５  入出力制御ＩＦ
２６  通信制御ＩＦ
３  インターネット
【図１】
0003866489.tif 000002
【図２】
0003866489.tif 000003
【図３】
0003866489.tif 000004
【図４】
0003866489.tif 000005
【図５】
0003866489.tif 000006
【図６】
0003866489.tif 000007
【図７】
0003866489.tif 000008
【図８】
0003866489.tif 000009
【図９】
0003866489.tif 000010
【図１０】
0003866489.tif 000011
【図１１】
0003866489.tif 000012
【図１２】
0003866489.tif 000013
【図１３】
0003866489.tif 000014
【図１４】
0003866489.tif 000015
【図１５】
0003866489.tif 000016
【図１６】
0003866489.tif 000017
【図１７】
0003866489.tif 000018
【図１８】
0003866489.tif 000019
【図１９】
0003866489.tif 000020
【図２０】
0003866489.tif 000021